(57)【特許請求の範囲】
【請求項１】
モバイル・エンティティによるピアツーピア（Ｐ２Ｐ）承認のための方法であって、
非アクセス層（ＮＡＳ）を介して管理エンティティからのＰ２Ｐ承認許可メッセージを受信することと、ここにおいて、前記Ｐ２Ｐ承認許可メッセージは、見込みのあるＰ２Ｐ通信に関する別のモバイル・エンティティの発見のための前記モバイル・エンティティの承認を備える、
ネットワーク・エンティティからのラジオ・リソース制御（ＲＲＣ）Ｐ２Ｐ設定要求を受信することと、
アクセス層を介して前記ネットワーク・エンティティへＲＲＣ  Ｐ２Ｐ設定完了メッセージを送信することと
を備える方法。
【請求項２】
前記ＮＡＳを介して前記管理エンティティへＰ２Ｐ承認要求メッセージを送信することを更に備える、請求項１に記載の方法。
【請求項３】
前記ＮＡＳを介して前記管理エンティティへＰ２Ｐ承認完了メッセージを送信することを更に備える、請求項１に記載の方法。
【請求項４】
前記Ｐ２Ｐ承認は、発見のための承認を備える、請求項１に記載の方法。
【請求項５】
前記Ｐ２Ｐ承認許可メッセージを受信することは、デフォルト次世代パケット・システム（ＥＰＳ）ベアラ・コンテキスト・アクティブ化メッセージを受信することを備える、請求項１に記載の方法。
【請求項６】
前記ＮＡＳを介して前記管理エンティティへデフォルトＥＰＳベアラ・コンテキスト・アクティブ化許可メッセージを送信することを更に備える、請求項５に記載の方法。
【請求項７】
前記Ｐ２Ｐ承認は、直接通信のための承認を備える、請求項１に記載の方法。
【請求項８】
前記Ｐ２Ｐ承認許可メッセージを受信することは、専用ＥＰＳベアラ・コンテキスト・アクティブ化メッセージを受信することを備える、請求項１に記載の方法。
【請求項９】
前記ＮＡＳを介して前記管理エンティティへ専用ＥＰＳベアラ・コンテキスト・アクティブ化許可メッセージを送信することを更に備える、請求項８に記載の方法。
【請求項１０】
前記モバイル・エンティティはユーザ機器（ＵＥ）を備え、
前記管理エンティティはモバイル管理エンティティ（ＭＭＥ）を備え、
前記ネットワーク・エンティティは次世代ノードＢ（ｅＮＢ）を備える、
請求項１に記載の方法。
【請求項１１】
非アクセス層（ＮＡＳ）を介して管理エンティティからのピアツーピア（Ｐ２Ｐ）承認許可メッセージを受信し、前記Ｐ２Ｐ承認許可メッセージは、見込みのあるＰ２Ｐ通信に関する別のモバイル・エンティティの発見のためのモバイル・エンティティの承認を備え、
ネットワーク・エンティティからのラジオ・リソース制御（ＲＲＣ）Ｐ２Ｐ設定要求を受信し、
アクセス層を介して前記ネットワーク・エンティティへＲＲＣ  Ｐ２Ｐ設定完了メッセージを送信する
ように構成された少なくとも１つのプロセッサと、
前記少なくとも１つのプロセッサに結合された、データを格納するためのメモリと
を備える装置。
【請求項１２】
前記少なくとも１つのプロセッサは、前記ＮＡＳを介して前記管理エンティティへＰ２Ｐ承認要求メッセージを送信する、請求項１１に記載の装置。
【請求項１３】
前記少なくとも１つのプロセッサは、前記ＮＡＳを介して前記管理エンティティへＰ２Ｐ承認完了メッセージを送信する、請求項１１に記載の装置。
【請求項１４】
前記Ｐ２Ｐ承認は、発見のための承認を備える、請求項１１に記載の装置。
【請求項１５】
前記少なくとも１つのプロセッサは、デフォルト次世代パケット・システム（ＥＰＳ）ベアラ・コンテキスト・アクティブ化メッセージを受信することによって前記Ｐ２Ｐ承認許可メッセージを受信する、請求項１１に記載の装置。
【請求項１６】
前記少なくとも１つのプロセッサは、前記ＮＡＳを介して前記管理エンティティへデフォルトＥＰＳベアラ・コンテキスト・アクティブ化許可メッセージを送信する、請求項１５に記載の装置。
【請求項１７】
前記Ｐ２Ｐ承認は、直接通信のための承認を備える、請求項１１に記載の装置。
【請求項１８】
前記少なくとも１つのプロセッサは、専用ＥＰＳベアラ・コンテキスト・アクティブ化メッセージを受信することによって前記Ｐ２Ｐ承認許可メッセージを受信する、請求項１１に記載の装置。
【請求項１９】
前記少なくとも１つのプロセッサは、前記ＮＡＳを介して前記管理エンティティへ専用ＥＰＳベアラ・コンテキスト・アクティブ化許可メッセージを送信する、請求項１８に記載の装置。
【請求項２０】
非アクセス層（ＮＡＳ）を介して管理エンティティからのピアツーピア（Ｐ２Ｐ）承認許可メッセージを受信するための手段と、ここにおいて、前記Ｐ２Ｐ承認許可メッセージは、見込みのあるＰ２Ｐ通信に関する別のモバイル・エンティティの発見のためのモバイル・エンティティの承認を備える、
ネットワーク・エンティティからのラジオ・リソース制御（ＲＲＣ）Ｐ２Ｐ設定要求を受信するための手段と、
アクセス層を介して前記ネットワーク・エンティティへＲＲＣ  Ｐ２Ｐ設定完了メッセージを送信するための手段と
を備える装置。
【請求項２１】
コンピュータに、
非アクセス層（ＮＡＳ）を介して管理エンティティからのピアツーピア（Ｐ２Ｐ）承認許可メッセージを受信させ、前記Ｐ２Ｐ承認許可メッセージは、見込みのあるＰ２Ｐ通信に関する別のモバイル・エンティティの発見のためのモバイル・エンティティの承認を備え、
ネットワーク・エンティティからのラジオ・リソース制御（ＲＲＣ）Ｐ２Ｐ設定要求を受信させ、
アクセス層を介して前記ネットワーク・エンティティへＲＲＣ  Ｐ２Ｐ設定完了メッセージを送信させる
ためのコードを備える、コンピュータ読取可能記憶媒体。
【請求項２２】
管理エンティティによるピアツーピア（Ｐ２Ｐ）承認のための方法であって、
非アクセス層（ＮＡＳ）を介してモバイル・エンティティからのＰ２Ｐ承認要求メッセージを受信することと、
前記受信したＰ２Ｐ承認要求メッセージに少なくとも部分的に基づいて、前記モバイル・エンティティの、少なくとも１つのＰ２Ｐ承認検査を実行することと、
前記少なくとも１つのＰ２Ｐ承認検査が良い結果であったことに応答して、前記ＮＡＳを介してモバイル・エンティティへＰ２Ｐ承認許可メッセージを送信することと、ここにおいて、前記Ｐ２Ｐ承認許可メッセージは、見込みのあるＰ２Ｐ通信に関する別のモバイル・エンティティの発見のための前記モバイル・エンティティの承認を備える、
を備える方法。
【請求項２３】
前記少なくとも１つのＰ２Ｐ承認検査を実行することは、前記モバイル・エンティティに関連付けられた特定のＩＤ又は特定のプリフィクスが前記モバイル・エンティティの加入に一致するかを判定することを備える、請求項２２に記載の方法。
【請求項２４】
前記少なくとも１つのＰ２Ｐ承認検査を実行することは、前記モバイル・エンティティに関連付けられた特定のＩＤ又は特定のプリフィクスが期限切れでないかを判定することを備える、請求項２２に記載の方法。
【請求項２５】
前記Ｐ２Ｐ承認は、発見のための承認を備える、請求項２２に記載の方法。
【請求項２６】
前記Ｐ２Ｐ承認要求メッセージを受信することは、パケット・データ・ネットワーク（ＰＤＮ）接続要求メッセージを受信することを備え、
前記Ｐ２Ｐ承認許可メッセージを送信することは、デフォルト次世代パケット・システム（ＥＰＳ）ベアラ・コンテキスト・アクティブ化メッセージを送信することを備える、請求項２２に記載の方法。
【請求項２７】
前記ＮＡＳを介して前記モバイル・エンティティからのデフォルトＥＰＳベアラ・コンテキスト・アクティブ化許可メッセージを受信することを更に備える、請求項２６に記載の方法。
【請求項２８】
前記Ｐ２Ｐ承認は、直接通信のための承認を備える、請求項２２に記載の方法。
【請求項２９】
前記Ｐ２Ｐ承認要求メッセージを受信することは、ベアラ・リソース割当て要求メッセージを受信することを備え、
前記Ｐ２Ｐ承認許可メッセージを送信することは、専用ＥＰＳベアラ・コンテキスト・アクティブ化メッセージを送信することを備える、
請求項２２に記載の方法。
【請求項３０】
前記ＮＡＳを介して前記モバイル・エンティティからの専用ＥＰＳベアラ・コンテキスト・アクティブ化許可メッセージを受信することを更に備える、請求項２８に記載の方法。
【請求項３１】
前記モバイル・エンティティはユーザ機器（ＵＥ）を備え、
前記管理エンティティはモバイル管理エンティティ（ＭＭＥ）を備える、
請求項２２に記載の方法。
【請求項３２】
非アクセス層（ＮＡＳ）を介してモバイル・エンティティからのピアツーピア（Ｐ２Ｐ）承認要求メッセージを受信し、
前記受信したＰ２Ｐ承認要求メッセージに少なくとも部分的に基づいて、前記モバイル・エンティティの、少なくとも１つのＰ２Ｐ承認検査を実行し、
前記少なくとも１つのＰ２Ｐ承認検査が良い結果であったことに応答して、前記ＮＡＳを介してモバイル・エンティティへＰ２Ｐ承認許可メッセージを送信する、
ように構成された少なくとも１つのプロセッサと、ここにおいて、前記Ｐ２Ｐ承認許可メッセージは、見込みのあるＰ２Ｐ通信に関する別のモバイル・エンティティの発見のための前記モバイル・エンティティの承認を備える、
前記少なくとも１つのプロセッサに結合された、データを格納するためのメモリと
を備える装置。
【請求項３３】
前記少なくとも１つのプロセッサは、前記モバイル・エンティティに関連付けられた特定のＩＤ又は特定のプリフィクスが、前記モバイル・エンティティの加入に一致するかを判定することによって、前記少なくとも１つのＰ２Ｐ承認検査を実行する、請求項３２に記載の装置。
【請求項３４】
前記少なくとも１つのプロセッサは、前記モバイル・エンティティに関連付けられた特定のＩＤ又は特定のプリフィクスが期限切れでないかを判定することによって、前記少なくとも１つのＰ２Ｐ承認検査を実行する、請求項３２に記載の装置。
【請求項３５】
前記Ｐ２Ｐ承認は、発見のための承認を備える、請求項３２に記載の装置。
【請求項３６】
前記少なくとも１つのプロセッサは、パケット・データ・ネットワーク（ＰＤＮ）接続要求メッセージを受信することによって前記Ｐ２Ｐ承認要求メッセージを受信し、
前記少なくとも１つのプロセッサは、デフォルト次世代パケット・システム（ＥＰＳ）ベアラ・コンテキスト・アクティブ化メッセージを送信することによって前記Ｐ２Ｐ承認許可メッセージを送信する、
請求項３２に記載の装置。
【請求項３７】
前記少なくとも１つのプロセッサは、前記ＮＡＳを介して前記モバイル・エンティティからのデフォルトＥＰＳベアラ・コンテキスト・アクティブ化許可メッセージを受信する、請求項３５に記載の装置。
【請求項３８】
前記Ｐ２Ｐ承認は、直接通信のための承認を備える、請求項３２に記載の装置。
【請求項３９】
前記少なくとも１つのプロセッサは、ベアラ・リソース割当て要求メッセージを受信することによって前記Ｐ２Ｐ承認要求メッセージを受信し、
前記少なくとも１つのプロセッサは、専用ＥＰＳベアラ・コンテキスト・アクティブ化メッセージを送信することによって前記Ｐ２Ｐ承認許可メッセージを送信する、
請求項３２に記載の装置。
【請求項４０】
前記少なくとも１つのプロセッサは、前記ＮＡＳを介して前記モバイル・エンティティからの専用ＥＰＳベアラ・コンテキスト・アクティブ化許可メッセージを受信する、請求項３９に記載の装置。
【請求項４１】
非アクセス層（ＮＡＳ）を介してモバイル・エンティティからのピアツーピア（Ｐ２Ｐ）承認要求メッセージを受信するための手段と、
前記受信したＰ２Ｐ承認要求メッセージに少なくとも部分的に基づいて、前記モバイル・エンティティの、少なくとも１つのＰ２Ｐ承認検査を実行するための手段と、
前記少なくとも１つのＰ２Ｐ承認検査が良い結果であったことに応答して、前記ＮＡＳを介してモバイル・エンティティへＰ２Ｐ承認許可メッセージを送信するための手段と、ここにおいて、前記Ｐ２Ｐ承認許可メッセージは、見込みのあるＰ２Ｐ通信に関する別のモバイル・エンティティの発見のための前記モバイル・エンティティの承認を備える、
を備える装置。
【請求項４２】
コンピュータに、
非アクセス層（ＮＡＳ）を介してモバイル・エンティティからのピアツーピア（Ｐ２Ｐ）承認要求メッセージを受信させ、
前記受信したＰ２Ｐ承認要求メッセージに少なくとも部分的に基づいて、前記モバイル・エンティティの、少なくとも１つのＰ２Ｐ承認検査を実行させ、
前記少なくとも１つのＰ２Ｐ承認検査が良い結果であったことに応答して、前記ＮＡＳを介してモバイル・エンティティへＰ２Ｐ承認許可メッセージを送信させる
ためのコードを備え、
前記Ｐ２Ｐ承認許可メッセージは、見込みのあるＰ２Ｐ通信に関する別のモバイル・エンティティの発見のための前記モバイル・エンティティの承認を備える、
コンピュータ読取可能記憶媒体。
【請求項４３】
モバイル・エンティティによるピアツーピア（Ｐ２Ｐ）承認のための方法であって、
Ｐ２Ｐ承認要求を備える登録メッセージをコア・ネットワークへ送信することと、
前記コア・ネットワークからの、初期コンテキスト・セットアップ要求及びＰ２Ｐ承認応答を備える登録許可メッセージを受信することと、ここにおいて、前記Ｐ２Ｐ承認応答は、見込みのあるＰ２Ｐ通信に関する別のモバイル・エンティティの発見のための前記モバイル・エンティティの承認を備える、
を備える方法。
【請求項４４】
送信することは、前記登録メッセージをコア・ネットワークへ転送するネットワーク・エンティティへ前記登録メッセージを送信することを備える、請求項４３に記載の方法。
【請求項４５】
前記ネットワーク・エンティティは、次世代ノードＢ（ｅＮＢ）を備える、請求項４４に記載の方法。
【請求項４６】
前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、請求項４３に記載の方法。
【請求項４７】
前記登録メッセージを送信することは、接続要求メッセージを送信することを備え、
前記登録許可メッセージを受信することは、接続許可メッセージを受信することを備える、
請求項４３に記載の方法。
【請求項４８】
前記登録メッセージを送信することは、追跡エリア更新（ＴＡＵ）要求メッセージを送信することを備え、
前記登録許可メッセージを受信することは、ＴＡＵ許可メッセージを受信することを備える、
請求項４３に記載の方法。
【請求項４９】
前記Ｐ２Ｐ承認は、汎用Ｐ２Ｐ承認を備え、
前記モバイル・エンティティは、ユーザ機器（ＵＥ）を備え、
送信することは、前記コア・ネットワークのモバイル管理エンティティ（ＭＭＥ）へ前記登録メッセージを送信することを備える、
請求項４３に記載の方法。
【請求項５０】
ピアツーピア（Ｐ２Ｐ）承認要求を備える登録メッセージをコア・ネットワークへ送信し、
前記コア・ネットワークからの、初期コンテキスト・セットアップ要求及びＰ２Ｐ承認応答を備える登録許可メッセージを受信する
ように構成された少なくとも１つのプロセッサと、ここにおいて、前記Ｐ２Ｐ承認応答は、見込みのあるＰ２Ｐ通信に関する別のモバイル・エンティティの発見のためのモバイル・エンティティの承認を備える、
前記少なくとも１つのプロセッサに結合された、データを格納するためのメモリと
を備える装置。
【請求項５１】
前記少なくとも１つのプロセッサは、前記登録メッセージを前記コア・ネットワークへ転送するネットワーク・エンティティへ前記登録メッセージを送信する、請求項５０に記載の装置。
【請求項５２】
前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、請求項５０に記載の装置。
【請求項５３】
前記少なくとも１つのプロセッサは、接続要求メッセージを送信することによって前記登録メッセージを送信し、
前記少なくとも１つのプロセッサは、接続許可メッセージを受信することによって前記登録許可メッセージを受信する、
請求項５０に記載の装置。
【請求項５４】
前記少なくとも１つのプロセッサは、追跡エリア更新（ＴＡＵ）要求メッセージを送信することによって前記登録メッセージを送信し、
前記少なくとも１つのプロセッサは、ＴＡＵ許可メッセージを受信することによって前記登録許可メッセージを受信する、
請求項５０に記載の装置。
【請求項５５】
ピアツーピア（Ｐ２Ｐ）承認要求を備える登録メッセージをコア・ネットワークへ送信するための手段と、
前記コア・ネットワークからの、初期コンテキスト・セットアップ要求及びＰ２Ｐ承認応答を備える登録許可メッセージを受信するための手段と、ここにおいて、前記Ｐ２Ｐ承認応答は、見込みのあるＰ２Ｐ通信に関する別のモバイル・エンティティの発見のためのモバイル・エンティティの承認を備える、
を備える装置。
【請求項５６】
コンピュータに、
ピアツーピア（Ｐ２Ｐ）承認要求を備える登録メッセージをコア・ネットワークへ送信させ、
前記コア・ネットワークからの、初期コンテキスト・セットアップ要求及びＰ２Ｐ承認応答を備える登録許可メッセージを受信させる
ためのコードを備え、
前記Ｐ２Ｐ承認応答は、見込みのあるＰ２Ｐ通信に関する別のモバイル・エンティティの発見のためのモバイル・エンティティの承認を備える、
コンピュータ読取可能記憶媒体。
【請求項５７】
コア・ネットワークの管理エンティティによるによるピアツーピア（Ｐ２Ｐ）承認のための方法であって、
モバイル・エンティティからの、Ｐ２Ｐ承認要求を備える登録メッセージを受信することと、
前記モバイル・エンティティの、少なくとも１つの識別検査を実行することと、
前記少なくとも１つの識別検査が良い結果であったことに応答して、初期コンテキスト・セットアップ要求及びＰ２Ｐ承認応答を備える登録許可メッセージを前記モバイル・エンティティへ送信すること、ここにおいて、前記Ｐ２Ｐ承認応答は、見込みのあるＰ２Ｐ通信に関する別のモバイル・エンティティの発見のための前記モバイル・エンティティの承認を備える、
を備える方法。
【請求項５８】
受信することは、前記モバイル・エンティティと動作可能に通信中であるネットワーク・エンティティからの前記登録メッセージを受信することを備える、請求項５７に記載の方法。
【請求項５９】
前記ネットワーク・エンティティは、次世代ノードＢ（ｅＮＢ）を備える、請求項５８に記載の方法。
【請求項６０】
前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、請求項５７に記載の方法。
【請求項６１】
前記登録メッセージを受信することは、接続要求メッセージを受信することを備え、
前記登録許可メッセージを送信することは、接続許可メッセージを送信することを備える、
請求項５７に記載の方法。
【請求項６２】
前記登録メッセージを受信することは、追跡エリア更新（ＴＡＵ）要求メッセージを受信することを備え、
前記登録許可メッセージを送信することは、ＴＡＵ許可メッセージを送信することを備える、請求項５７に記載の方法。
【請求項６３】
前記Ｐ２Ｐ承認は、汎用Ｐ２Ｐ承認を備え、
前記管理エンティティは、モバイル管理エンティティ（ＭＭＥ）を備え、
受信することは、ユーザ機器（ＵＥ）からの前記登録メッセージを受信することを備える、
請求項５７に記載の方法。
【請求項６４】
モバイル・エンティティからのピアツーピア（Ｐ２Ｐ）承認要求を備える登録メッセージを受信し、
前記モバイル・エンティティの、少なくとも１つの識別検査を実行し、前記少なくとも１つの識別検査が良い結果であったことに応答して、初期コンテキスト・セットアップ要求及びＰ２Ｐ承認応答を備える登録許可メッセージを前記モバイル・エンティティへ送信する
ように構成された少なくとも１つのプロセッサと、ここにおいて、前記Ｐ２Ｐ承認応答は、見込みのあるＰ２Ｐ通信に関する別のモバイル・エンティティの発見のための前記モバイル・エンティティの承認を備える、
前記少なくとも１つのプロセッサに結合された、データを格納するためのメモリと
を備える装置。
【請求項６５】
前記少なくとも１つのプロセッサは、前記モバイル・エンティティと動作可能に通信中であるネットワーク・エンティティからの前記登録メッセージを受信する、請求項６４に記載の装置。
【請求項６６】
前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、請求項６４に記載の装置。
【請求項６７】
前記少なくとも１つのプロセッサは、
接続要求メッセージを受信することによって前記登録メッセージを受信し、
接続許可メッセージを送信することによって前記登録許可メッセージを送信する、
請求項６４に記載の装置。
【請求項６８】
前記少なくとも１つのプロセッサは、
追跡エリア更新（ＴＡＵ）要求メッセージを受信することによって前記登録メッセージを受信し、
ＴＡＵ許可メッセージを送信することによって前記登録許可メッセージを送信する、
請求項６４に記載の装置。
【請求項６９】
モバイル・エンティティからの、ピアツーピア（Ｐ２Ｐ）承認要求を備える登録メッセージを受信するための手段と、
前記モバイル・エンティティの、少なくとも１つの識別検査を実行するための手段と、
前記少なくとも１つの識別検査が良い結果であったことに応答して、初期コンテキスト・セットアップ要求及びＰ２Ｐ承認応答を備える登録許可メッセージを前記モバイル・エンティティへ送信するための手段と、ここにおいて、前記Ｐ２Ｐ承認応答は、見込みのあるＰ２Ｐ通信に関する別のモバイル・エンティティの発見のための前記モバイル・エンティティの承認を備える、
を備える装置。
【請求項７０】
コンピュータに、
モバイル・エンティティからの、ピアツーピア（Ｐ２Ｐ）承認要求を備える登録メッセージを受信させ、
前記モバイル・エンティティの、少なくとも１つの識別検査を実行させ、
前記少なくとも１つの識別検査が良い結果であったことに応答して、初期コンテキスト・セットアップ要求及びＰ２Ｐ承認応答を備える登録許可メッセージを前記モバイル・エンティティへ送信させる
ためのコードを備え、
前記Ｐ２Ｐ承認応答は、見込みのあるＰ２Ｐ通信に関する別のモバイル・エンティティの発見のための前記モバイル・エンティティの承認を備える、
コンピュータ読取可能記憶媒体。
【発明の詳細な説明】
【関連出願との相互参照】
【０００１】
［0001］  本願は、３５Ｕ．Ｓ．Ｃ．第１１９条（ｅ）に準拠して、本明細書によってその全体が参照によって組み込まれた２０１１年１月１１日出願の米国特許仮出願第６１／４３１７６５号に対する優先権を主張する。
【技術分野】
【０００２】
［0002］  本願は、一般に無線通信に関し、特に、ピアツーピア通信のための無線デバイスの承認に関する。
【背景技術】
【０００３】
［0003］  第３世代パートナーシップ・プロジェクト（３ＧＰＰ）ロング・ターム・エボリューション（ＬＴＥ）は、セルラ技術において大きな進歩を遂げ、移動通信のためのグローバル・システム（ＧＳＭ(登録商標)）及びユニバーサル・モバイル・テレコミュニケーション・システム（ＵＭＴＳ）の自然進化としてセルラ３Ｇサービスにおける次世代への前進である。ＬＴＥ物理層（ＰＨＹ）は、例えばアクセス端末（ＡＴ）又はユーザ機器（ＵＥ）のようなモバイル・エンティティと次世代ノードＢ（ｅＮＢ）との間でデータ及び制御情報の両方を伝送する非常に効率的な手段である。ＬＴＥ  ＰＨＹは、セルラ・アプリケーションに対して新しいいくつかの進化した技術を用いる。これらは、直交周波数分割多重（ＯＦＤＭ）及び複数入力複数出力（ＭＩＭＯ）データ送信を含む。更に、ＬＴＥ  ＰＨＹは、ダウンリンク（ＤＬ）において直交周波数分割多元接続（ＯＦＤＭＡ）を用い、アップリンク（ＵＬ）においてシングルキャリア周波数分割多元接続（ＳＣ−ＦＤＭＡ）を用いる。ＯＦＤＭＡは、指定された数のシンボル期間についてサブキャリアごとベースで（on a subcarrier-by-subcarrier basis）複数のユーザへデータを向ける又は複数のユーザからのデータを向かわせることを可能にする。
【０００４】
［0004］  例えば音声及びデータのような様々なタイプの通信コンテンツを提供するために幅広く展開される旧式無線通信システムの例は、ＣＤＭＡ２０００を含む符号分割多元接続（ＣＤＭＡ）システム、広帯域ＣＤＭＡ、移動通信のためのグローバル・システム（ＧＳＭ）、及びユニバーサル・モバイル・テレコミュニケーション・システム（ＵＭＴＳ）を含む。これらの無線通信システム及びＬＴＥシステムは一般に、異なるラジオ・アクセス技術（radio access technologies）（ＲＡＴ）及び通信プロトコルを用い、異なる周波数帯域で動作し、異なるサービス品質（quality of service）（ＱｏＳ）を提供し、異なるタイプのサービス及びアプリケーションをシステム・ユーザへ提供する。
【０００５】
［0005］  直接無線接続において、第１のモバイル・エンティティは、無線信号を受信及び処理する第２のモバイル・エンティティへ無線信号を直接送信する。直接無線接続の例は、ＬＴＥ又は他の無線通信プロトコルにおけるモバイル・エンティティからノードＢへの接続、あるいは例えばＷｉＦｉダイレクト又はブルートゥース（登録商標）のような非セルラ・プロトコルにおいて用いるようなモバイル・エンティティ間のピアツーピア（Ｐ２Ｐ）通信を含む。セルラ無線通信システムは一般に、モバイル・エンティティ間の直接接続を含まない。モバイル・エンティティは一般に、１つ又は複数のノードＢ及び関連付けられたネットワーク・インフラストラクチャを通して互いに間接的に通信する。この状況において、Ｐ２Ｐ通信に関するモバイル・エンティティの承認を効率良く管理することへのニーズがある。
【発明の概要】
【０００６】
［0006］  セルラ無線通信システムにおいて、基地局（例えば、ノードＢ）とモバイル・エンティティとの間のセルラ通信も用いるシステムのなかでＰ２Ｐ通信を実現することが望ましい。本明細書において用いられる場合、「Ｐ２Ｐ」は、モバイル・エンティティと基地局との間の無線通信を示す「セルラ」とは対照的に、ピア・モバイル・エンティティ間の通信又はシグナリングを示す。本明細書において用いられる場合、Ｐ２Ｐは、無線通信システムのピア基地局間あるいは他のピア・ノード間の通信を除外する。上述したＰ２Ｐ通信は、時に、「Ｄ２Ｄ」と略されるデバイスツーデバイス（device-to-device）と称されうる。モバイル・エンティティはグループとして基地局とは異なり、当該技術において知られる様々な要因によって基地局と区別されうる。例えば基地局は一般に、コア・ネットワークへのバックホール接続を含み、関連するインタフェース構成要素をサポートするが、モバイル・エンティティは、そのような構成要素を有さず、一般に携帯式である。他の観点によると、モバイル・エンティティは、例えばプロセッサ構成要素、メモリ構成要素、及びトランシーバ構成要素のような基地局にも存在する構成要素を含みうる。
【０００７】
［0007］  １つ又は複数の重なり合うエリアにおいてセルラ通信及びＰ２Ｐ通信の両方をサポートする無線通信システムの場合、そのエリア内のセルラ無線シグナリングとＰ２Ｐ無線シグナリングとの間の干渉に関する問題が生じうる。エリア内のＰ２Ｐシグナリング及びセルラ・シグナリングを調整し、それらの通信モード間の干渉を最小限にするために、様々な制御方法が用いられうる。そのような制御方法のうちの一態様は、Ｐ２Ｐモードで動作しているモバイル・エンティティが別のモバイル・エンティティとの通信セッションを開始するためにモバイル・エンティティを承認することを含みうる。そのような承認は、本明細書においてＰ２Ｐ承認（a P2P authorization）と称されうる。Ｐ２Ｐモードで動作するために承認されない限り、モバイル・エンティティは一般にセルラ・モードで動作しうることが理解されるべきである。Ｐ２Ｐ承認は、システムの他のエンティティと協働して、無線通信システムの１つ又は複数のエンティティによって実行されうる。
【０００８】
［0008］  一態様において、モバイル・エンティティによるピアツーピア（Ｐ２Ｐ）承認のための第１の方法は、非アクセス層（a non-access stratum）（ＮＡＳ）を介して管理エンティティからのＰ２Ｐ承認許可メッセージ（a P2P authorization accept message）を受信することを含みうる。「第１の方法」、「第２の方法」などは、Ｐ２Ｐ承認のための異なる方法に言及するために便宜上用いられるだけであり、あらゆる時系列的順序、好適順位あるいは優先順位、又は様々な方法間の他の関係性を説明あるいは提案するものではない。第１の方法は更に、モバイル・エンティティによって、ネットワーク・エンティティからのラジオ・リソース制御（a radio resource control）（ＲＲＣ）Ｐ２Ｐ設定要求（P2P configuration request）を受信することを含みうる。第１の方法は更に、モバイル・エンティティから、アクセス層を介してネットワーク・エンティティへＲＲＣ  Ｐ２Ｐ設定完了メッセージ（an RRC P2P configuration complete message）を送信することを含みうる。第１の方法の態様において、モバイル・エンティティはユーザ機器（ＵＥ）である又はそれを含み、管理エンティティはモバイル管理エンティティ（a mobile management entity）（ＭＭＥ）を備え、ネットワーク・エンティティは次世代ノードＢ（an evolved NodeB）（ｅＮＢ）を備えうる。
【０００９】
［0009］  関連する態様において、第１の方法は更に、モバイル・エンティティが、ＮＡＳを介して管理エンティティへＰ２Ｐ承認要求メッセージ（a P2P authorization request message）を送信することを含みうる。第１の方法は更に、モバイル・エンティティが、ＮＡＳを介して管理エンティティへＰ２Ｐ承認完了メッセージ（a P2P authorization complete message）を送信することを含みうる。
【００１０】
［0010］  一態様において、Ｐ２Ｐ承認は、発見のための承認を備える。すなわち、モバイル・エンティティは、承認されることによって、見込みのあるＰ２Ｐ通信（prospective P2P communications）に関する別のピア・モバイルを発見しうる。別の態様において、Ｐ２Ｐ承認は、直接通信のための承認を含みうる。すなわち、Ｐ２Ｐ承認は、モバイル・エンティティと別のピア・デバイスとの間のＰ２Ｐ通信を承認しうる。
【００１１】
［0011］  第１の方法の別の態様において、Ｐような場合、第１の方法は更に、ＮＡＳを介して管理エンティティへ専用ＥＰＳベアラ・コンテキスト・アクティブ化許可メッセージ（an activ２Ｐ承認許可メッセージを受信することは、モバイル・エンティティが、デフォルト次世代パケット・システム（ＥＰＳ）ベアラ・コンテキスト・アクティブ化メッセージ（an activate default Evolved Packet System (EPS) bearer context message）を受信することを含みうる。そのような場合、第１の方法は更に、モバイル・エンティティが、ＮＡＳを介して管理エンティティへデフォルトＥＰＳベアラ・コンテキスト・アクティブ化許可メッセージ（an activate default EPS bearer context accept message）を送信することを含みうる。第１の方法の別の態様において、Ｐ２Ｐ承認許可メッセージを受信することは、専用ＥＰＳベアラ・コンテキスト・アクティブ化メッセージ（an activate dedicated EPS bearer context message）を受信することを含みうる。そのate dedicated EPS bearer context accept message）を送信することを含みうる。
【００１２】
［0012］  第２の方法は、管理エンティティによるＰ２Ｐ承認に関連しうる。第２の方法は、管理エンティティが、ＮＡＳを介してモバイル・エンティティからのＰ２Ｐ承認要求メッセージを受信することを含みうる。第２の方法は更に、管理エンティティによって、受信したＰ２Ｐ承認要求メッセージに少なくとも部分的に基づいてモバイル・エンティティの、少なくとも１つのＰ２Ｐ承認検査（P2P authorization check）を実行することを含みうる。第２の方法は更に、少なくとも１つのＰ２Ｐ承認検査が良い結果であったことに応答して、管理エンティティは、ＮＡＳを介してモバイル・エンティティへＰ２Ｐ承認許可メッセージを送信することを含みうる。第２の方法の態様において、モバイル・エンティティはＵＥを備え、管理エンティティはＭＭＥを備えうる。
【００１３】
［0013］  第２の方法の別の態様において、少なくとも１つのＰ２Ｐ承認検査を実行することは、モバイル・エンティティに関連付けられた特定のＩＤ又は特定のプリフィクスがモバイル・エンティティの加入（a subscription）に一致するかを判定することを含みうる。あるいは又は加えて、少なくとも１つのＰ２Ｐ承認検査を実行することは、モバイル・エンティティに関連付けられた特定のＩＤ又は特定のプリフィクスが期限切れでない（unexpired）かを判定することを含みうる。
【００１４】
［0014］  第１の方法におけるように、第２の方法におけるＰ２Ｐ承認は、発見のための承認を含みうる。あるいは又は加えて、Ｐ２Ｐ承認は、直接通信のための承認を含みうる。
【００１５】
［0015］  第２の方法の一態様において、Ｐ２Ｐ承認要求メッセージを受信することは、管理エンティティがパケット・データ・ネットワーク（Packet Data Network）（ＰＤＮ）接続要求メッセージ（connectivity request message）を受信することを含みうる。更に、Ｐ２Ｐ承認許可メッセージを送信することは、管理エンティティがデフォルトＥＰＳベアラ・コンテキスト・アクティブ化メッセージを送信することを含みうる。
【００１６】
［0016］  第２の方法は更に、管理エンティティが、ＮＡＳを介してモバイル・エンティティからのデフォルトＥＰＳベアラ・コンテキスト・アクティブ化許可メッセージを受信することを含みうる。第２の方法の態様において、Ｐ２Ｐ承認要求メッセージを受信することは、管理エンティティにおいてベアラ・リソース割当て要求メッセージを受信することを含みうる。加えて、Ｐ２Ｐ承認許可メッセージを送信することは、管理エンティティからの専用ＥＰＳベアラ・コンテキスト・アクティブ化メッセージを送信することを含みうる。別の態様において、第２の方法は、管理エンティティによって、ＮＡＳを介してモバイル・エンティティからの専用ＥＰＳベアラ・コンテキスト・アクティブ化許可メッセージを受信することを含みうる。
【００１７】
［0017］  モバイル・エンティティによるＰ２Ｐ承認のための第３の方法は、モバイル・エンティティが、Ｐ２Ｐ承認要求を備える登録メッセージ（a registration message）をコア・ネットワークへ送信することを含みうる。第３の方法は更に、モバイル・エンティティによって、コア・ネットワークからの、初期コンテキスト・セットアップ要求（an initial context setup request）及びＰ２Ｐ承認応答（a P2P authorization response）を備える登録許可メッセージ（a registration accept message）を受信することを含みうる。
【００１８】
［0018］  第３の方法の一態様において、モバイル・エンティティによって登録メッセージ（registration message）を送信することは、コア・ネットワークへ登録メッセージを転送するネットワーク・エンティティへ登録メッセージを送信することを含みうる。ネットワーク・エンティティは、ｅＮＢを含みうる。第３の方法の別の態様において、Ｐ２Ｐ承認応答は、コア・ネットワークにおけるモバイル・エンティティのＰ２Ｐ承認検査が良い結果であったことに応答して、Ｐ２Ｐ承認許可メッセージを含みうる。
【００１９】
［0019］  第３の方法の別の態様において、登録メッセージを送信することは、接続要求メッセージ（an attach request message）を送信することを含みうる。加えて、登録許可メッセージを受信することは、接続許可メッセージ（an attach accept message）を受信することを含みうる。第３の方法の別の態様において、登録メッセージを送信することは、追跡エリア更新（tracking area update）（ＴＡＵ）要求メッセージを送信することを含みうる。加えて、登録許可メッセージを受信することは、ＴＡＵ許可メッセージを受信することを含みうる。第３の方法の別の態様において、Ｐ２Ｐ承認は汎用（general）Ｐ２Ｐ承認を含み、モバイル・エンティティはＵＥである又はそれを含みうる。この態様において、第３の方法は更に、コア・ネットワークのＭＭＥへ登録メッセージを送信することを含みうる。
【００２０】
［0020］  Ｐ２Ｐ承認のための第４の方法は、コア・ネットワークの管理エンティティにおいて実行されうる。第４の方法は、管理エンティティによって、モバイル・エンティティからの、Ｐ２Ｐ承認要求を備える登録メッセージを受信することを含みうる。第４の方法は更に、モバイル・エンティティの少なくとも１つの識別検査（identification check）を管理エンティティによって実行することを含みうる。第４の方法は更に、少なくとも１つの識別検査が良い結果であったことに応答して、初期コンテキスト・セットアップ要求及びＰ２Ｐ承認応答を備える登録許可メッセージをモバイル・エンティティへ送信することを含みうる。
【００２１】
［0021］  第４の方法の一態様において、管理エンティティは、モバイル・エンティティと動作可能に通信中であるネットワーク・エンティティからの登録メッセージを受信しうる。ネットワーク・エンティティは、ｅＮＢである又はそれを含みうる。
【００２２】
［0022］  第４の方法の別の態様において、Ｐ２Ｐ承認応答は、コア・ネットワークにおいてモバイル・エンティティのＰ２Ｐ承認検査が良い結果であったことに応答して提供されるＰ２Ｐ承認許可メッセージでありうる。
【００２３】
［0023］  第４の方法の別の態様において、登録メッセージを受信することは、接続要求メッセージを受信することを含みうる。加えて、登録許可メッセージを送信することは、接続許可メッセージを送信することを含みうる。代替の態様において、登録メッセージを受信することはＴＡＵ要求メッセージを受信することを含み、登録許可メッセージを送信することはＴＡＵ許可メッセージを送信することを含みうる。第４の方法の別の態様において、Ｐ２Ｐ承認は汎用Ｐ２Ｐ承認を含み、管理エンティティはモバイル管理エンティティ（ＭＭＥ）である又はそれを含みうる。そのような場合、ＭＭＥは、ユーザ機器（ＵＥ）からの登録メッセージを受信しうる。
【００２４】
［0024］  関連する態様において、無線通信装置は、上記で要約した方法のうちのあらゆる方法及び方法の態様を実行するために提供されうる。装置は例えば、メモリに結合されたプロセッサでありうる。この場合メモリは、プロセッサによって実行され、装置に、上述したような動作を実行させるための命令を保持する。そのような装置のある態様（例えば、ハードウェア態様）は、例えば無線通信のために用いられる様々なタイプの基地局、管理エンティティ、又はモバイル・エンティティのような装置によって例示されうる。同様に、プロセッサによって実行されると、無線通信装置に、上記で要約したような方法及び方法の態様を実行させるための符号化された命令を保持する、持続性コンピュータ読取可能記憶媒体を含む製品が提供されうる。
【００２５】
［0025］  セルラ無線通信システムに関するＰ２Ｐ通信を認証するための方法及び装置に関する更なる態様、実施形態、及び詳細が、以下の詳細な説明に置いて説明される。
【図面の簡単な説明】
【００２６】
［0026］  本開示の特徴、性質、及び利点は、以下で説明される図面を参照する場合、以下の詳細な説明から更に明らかになるであろう。図面及び詳細な説明を通して、図面のうちの１つ又は複数に見られる同様の要素を識別するために、同様の参照符号が用いられうる。
【００２７】
［0027］  
【図１】図１は、多元接続無線通信システムを示す。
【００２８】
［0028］  
【図２】図２は、通信システムのブロック図を示す。
【００２９】
［0029］  
【図３】図３は、複数のユーザをサポートするように構成されたセルラ無線通信システムを示す。
【００３０】
［0030］  
【図４】図４は、ラジオ・アクセス・ネットワークを介した通信及び直接無線接続を介した通信におけるモバイル・エンティティを示す。
【００３１】
［0031］  
【図５】図５は、新ＥＳＭ手順に基づくＰ２Ｐ承認のための改良された無線ネットワークの実施形態に関するコール・フロー図（a call flow diagram）である。
【００３２】
［0032］  
【図６】図６は、既存のＥＳＭ手順に基づく発見に関するＰ２Ｐ承認のための改良された無線ネットワークの実施形態に関するコール・フロー図である。
【００３３】
［0033］  
【図７】図７は、既存のＥＳＭ手順に基づく直接通信に関するＰ２Ｐ承認のための改良された無線ネットワークの実施形態に関するコール・フロー図である。
【００３４】
［0034］  
【図８】図８は、ＥＭＭ接続手順に基づく汎用Ｐ２Ｐ承認のための改良された無線ネットワークの実施形態に関するコール・フロー図である。
【００３５】
［0035］  
【図９】図９は、モバイル・エンティティにおいて実行される、ＥＳＭ手順に基づくＰ２Ｐ承認のための典型的な方法を示す。
【００３６】
［0036］  
【図１０】図１０は、図９の方法の更なる態様を示す。
【００３７】
［0037］  
【図１１】図１１は、管理エンティティにおいて実行される、ＥＳＭ手順に基づくＰ２Ｐ承認のための典型的な方法を示す。
【００３８】
［0038］  
【図１２】図１２は、図１１の方法の更なる態様を示す。
【００３９】
［0039］  
【図１３】図１３は、図９乃至１０の方法に従って、ＥＳＭ手順に基づくＰ２Ｐ承認のための典型的なモバイル装置を示す。
【００４０】
［0040］  
【図１４】図１４は、図１１乃至１２の方法に従って、ＥＳＭ手順に基づくＰ２Ｐ承認のための典型的な管理装置を示す。
【００４１】
［0041］  
【図１５】図１５は、モバイル・エンティティにおいて実行される、ＥＭＭ手順に基づくＰ２Ｐ承認のための典型的な方法を示す。
【００４２】
［0042］  
【図１６】図１６は、図１５の方法の更なる態様を示す。
【００４３】
［0043］  
【図１７】図１７は、管理エンティティにおいて実行される、ＥＭＭ手順に基づくＰ２Ｐ承認のための典型的な方法を示す。
【００４４】
［0044］  
【図１８】図１８は、図１７の方法の更なる態様を示す。
【００４５】
［0045］  
【図１９】図１９は、図１５乃至１６の方法に従って、ＥＭＭ手順に基づくＰ２Ｐ承認のための典型的なモバイル装置を示す。
【００４６】
［0046］  
【図２０】図２０は、図１７乃至１８の方法に従って、ＥＭＭ手順に基づくＰ２Ｐ承認のための典型的な管理装置を示す。
【詳細な説明】
【００４７】
［0047］  以下、様々な実施形態が、添付図面を参照して説明される。添付図面を通して、同様の要素に言及するために同様の参照番号が用いられる。以下の説明において、説明目的のために、１つ又は複数の実施形態の完全な理解を提供するために数々の具体的な詳細が記載される。しかし、そのような実施形態はそれらの具体的な詳細なしでも実施されうることが明らかである。他の例において、１つ又は複数の実施形態の説明を容易にするために周知の構成及びデバイスがブロック図形式で示される。
【００４８】
［0048］  本明細書で説明された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡネットワークなどのような様々な無線通信ネットワークのために用いられうる。「ネットワーク」及び「システム」という用語はしばしば相互置換性を持って用いられる。ＣＤＭＡネットワークは、例えばユニバーサル地上無線アクセス（ＵＴＲＡ）、ｃｄｍａ２０００、又は他の無線技術のような無線技術を実現しうる。ＵＴＲＡは、広帯域ＣＤＭＡ（Ｗ−ＣＤＭＡ）及びロー・チップ・レート（Low Chip Rate）（ＬＣＲ）を含む。ｃｄｍａ２０００は、ＩＳ−２０００規格、ＩＳ−９５規格、及びＩＳ−８５６規格をカバーする。ＴＤＭＡネットワークは、例えば移動通信のためのグローバル・システム（ＧＳＭ）のような無線技術を実現しうる。ＯＦＤＭＡネットワークは、例えば次世代ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などのような無線技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、及びＬＴＥは、「第３世代パートナーシップ・プロジェクト」（３ＧＰＰ）と名付けられた組織からの文書において説明される。ｃｄｍａ２０００は、「第３世代パートナーシップ・プロジェクト２」（３ＧＰＰ２）と名付けられた組織からの文書において説明される。これら様々な無線技術及び規格は、当該技術において周知であるセルラ無線技術を表しうる。以下の説明において、簡略化及び明確化のために、国際電気通信連合（ＩＴＵ）によって３ＧＰＰ規格の下で公布されたような、Ｗ−ＣＤＭＡ規格及びＬＴＥ規格関連の用語が用いられる。本明細書で説明された技術は、例えば上述した技術及び規格のような他の技術にも適用可能であることを強調したい。
【００４９】
［0049］  単一の搬送波変調及び周波数領域等化を用いるシングルキャリア周波数分割多元接続（ＳＣ−ＦＤＭＡ）は、ＯＦＤＭＡシステムと同一の性能及び本質的に同一の全体複雑性を有する。ＳＣ−ＦＤＭＡ信号は、固有のシングルキャリア構成による低いピーク対平均電力比（peak-to-average power ratio）（ＰＡＲＲ）を有する。ＳＣ−ＦＤＭＡは、特に、低いＰＡＲＲが送信電力効率の観点からモバイル端末に多大に利益を与えるアップリンク通信において、非常に注目されてきた。ＳＣ−ＦＤＭＡは、３ＧＰＰ  ＬＴＥ又は次世代ＵＴＲＡにおいてアップリンク多元接続のために用いられる。
【００５０】
［0050］  図１を参照すると、１つの実施形態に従う多元接続無線通信システムが示される。アクセス・ポイント１００（例えば、基地局、次世代ノードＢ（ｅＮＢ）など）は、複数のアンテナ・グループを含む。その１つは１０４及び１０６を含み、別の１つは１０８及び１１０を含み、更なる１つは１１２及び１１４を含む。図１において、各アンテナ・グループにつき２つのアンテナが示されるが、各アンテナ・グループについてより多い又は少ない数のアンテナが用いられうる。モバイル・エンティティ１１６は、アンテナ１１２及び１１４と通信中であり、アンテナ１１２及び１１４は、順方向リンク１２０を介してモバイル・エンティティ１１６へ情報を送信し、逆方向リンク１１８を介してモバイル・エンティティ１１６からの情報を受信する。モバイル・エンティティ１２２は、アンテナ１０４及び１０６と通信中であり、アンテナ１０４及び１０６は、順方向リンク１２６を介してモバイル・エンティティ１２２へ情報を送信し、逆方向リンク１２４を介してモバイル・エンティティ１２２からの情報を受信する。周波数分割複信（ＦＤＤ）システムにおいて、通信リンク１１８、１２０、１２４、及び１２６は、通信に関して異なる周波数を用いうる。例えば順方向リンク１２０は、逆方向リンク１１８によって用いられた周波数とは異なる周波数を用いうる。
【００５１】
［0051］  アンテナの各グループ及び／又はそれらが通信するように設計されたエリアは、しばしばアクセス・ポイントのセクタと称される。ある実施形態において、アンテナ・グループの各々は、アクセス・ポイント１０によってカバーされたエリアのセクタ内のモバイル・エンティティと通信するように設計される。
【００５２】
［0052］  順方向リンク１２０及び１２６を介した通信中、アクセス・ポイント１００の送信中アンテナは、異なるモバイル・エンティティ１１６及び１２２に関する順方向リンクの信号対雑音比を改善するためにビームフォーミングを用いうる。また、自身のカバレージにランダムに散在しているモバイル・エンティティへ送信するためにビームフォーミングを用いているアクセス・ポイントは、自身のモバイル・エンティティ全てに単一のアンテナを通して送信しているアクセス・ポイントよりも、近隣セル内のモバイル・エンティティに及ぼす干渉が少ない。
【００５３】
［0053］  アクセス・ポイントは、端末と通信するために用いられる固定局であることができ、アクセス・ポイント、ノードＢ、ｅＮＢ、又は他の何らかの用語として称されうる。モバイル・エンティティは、アクセス端末（ＡＴ）、ユーザ機器（ＵＥ）、モバイル局、無線通信デバイス、端末などとも称されうる。
【００５４】
［0054］  図２は、ＭＩＭＯシステム２００における（アクセス・ポイントとしても知られる）送信機システム２１０及び（モバイル・エンティティとしても知られる）受信機システム２５０の実施形態のブロック図である。送信機システム２１０及び受信機システム２５０は、図２に示されない他の構成要素を含みうる。例えば送信機システム２１０は、バックホール接続のための有線及び／又は無線のインタフェースを含むことができるが、受信機システム２５０は、いかなるバックホール・インタフェースも有さず、例えばポータブル・バッテリ・システム、バッテリ再充電システム、及び電力保持構成要素を含むことによって、携帯できるように構成されうる。対照的に、送信機システム２１０はポータブル・バッテリ・システム又は関連構成要素を有さず、外部電源に接続するように構成されうる。そのような解釈の下、システム２００は、基地局２１０及びモバイル・エンティティ２５０を含むセルラ通信構成を示すことが理解されうる。システム２００は、第１のピア・モバイル・エンティティである送信機システム２１０及び第２のピア・モバイル・エンティティである受信機システム２５０を有するＰ２Ｐ構成におけるピア・モバイル・エンティティを示すようにも解釈されうる。従って図２は、セルラ構成又はＰ２Ｐ構成のいずれかを示すように解釈されることができ、デュアルＰ２Ｐセルラ構成と矛盾しない。
【００５５】
［0055］  送信機システム２１０において、複数のデータ・ストリームに関するトラヒック・データが、データ・ソース２１２から送信（ＴＸ）データ・プロセッサ２１４へ提供される。
【００５６】
［0056］  実施形態において、各データ・ストリームは、それぞれの送信アンテナを介して送信される。ＴＸデータ・プロセッサ２１４は、各データ・ストリームのために選択された特定のコーディング・スキームに基づいて、そのデータ・ストリームに関するトラヒック・データをフォーマット、符号化、及びインタリーブし、符号化されたデータを提供する。
【００５７】
［0057］  各データ・ストリームについて符号化されたデータは、ＯＦＤＭ技術を用いてパイロット・データと多重化されうる。パイロット・データは一般に、周知の方式で処理された周知のデータ・パターンであり、チャネル応答を推定するために受信機システムにおいて用いられうる。各データ・ストリームについて多重化されたパイロット及び符号化データはその後、変調シンボルを提供するために、そのデータ・ストリームのために選択された特定の変調スキーム（例えば、二相位相シフトキーイング（ＢＰＳＫ）、四相位相シフトキーイング（ＱＳＰＫ）、Ｍ相位相シフトキーイング（Ｍ−ａｒｙ  Ｐｈａｓｅ−Ｓｈｉｆｔ  Ｋｅｙｉｎｇ）（Ｍ−ＰＳＫ）、又はマルチレベル直交振幅変調（Ｍ−ＱＡＭ））に基づいて変調（すなわち、シンボル・マップ）される。各データ・ストリームに関するデータ・レート、コーディング、及び変調は、メモリ２３２と、動作して通信中でありうるプロセッサ２３０によって実行される命令によって決定されうる。
【００５８】
［0058］  データ・ストリームに関する変調シンボルはその後、ＴＸ  ＭＩＭＯプロセッサ２２０へ提供される。ＴＸ  ＭＩＭＯプロセッサ２２０は（例えば、ＯＦＤＭに関する）変調シンボルを更に処理しうる。ＴＸ  ＭＩＭＯプロセッサ２２０はその後、ＮＴ個の変調シンボルをＮＴ個の送信機（ＴＭＴＲ）２２２ａ乃至２２２ｔへ提供する。ある実施形態において、ＴＸ  ＭＩＭＯプロセッサ２２０は、データ・ストリームのシンボルと、そのシンボルが送信されているアンテナとに、ビームフォーミング重みを適用する。
【００５９】
［0059］  各送信機２２２は、それぞれのシンボル・ストリームを受信し、１つ又は複数のアナログ信号を提供するために処理し、ＭＩＭＯチャネルを介した送信に適した変調信号を提供するためにアナログ信号を更に調整（例えば、増幅、フィルタ、及びアップコンバート）する。送信機２２２ａ乃至２２２ｔからのＮＴ個の変調信号はその後、ＮＴ個のアンテナ２２４ａ乃至２２４ｔからそれぞれ送信される。
【００６０】
［0060］  受信機システム２５０において、送信された変調信号は、ＮＲ個のアンテナ２５２ａ乃至２５２ｒによって受信され、各アンテナ２５２からの受信信号は、それぞれの受信機（ＲＣＶＲ）２５４ａ乃至２５４ｒへ提供される。各受信機２５４は、それぞれの受信信号を調整（例えば、フィルタ、増幅、及びダウンコンバート）し、サンプルを提供するために調整済みの信号をデジタル化し、対応する「受信」シンボル・ストリームを提供するためにそのサンプルを更に処理する。
【００６１】
［0061］  ＲＸデータ・プロセッサ２６０はその後、ＮＴ個の「検出済み」シンボル・ストリームを提供するために、特定の受信機処理技術に基づいて、ＮＲ個の受信機２５４からのＮＲ個の受信シンボル・ストリームを受信及び処理する。ＲＸデータ・プロセッサ２６０はその後、データ・ストリームに関するトラヒック・データを復元するために、各検出済みシンボル・ストリームを復調、デインタリーブ、及び復号する。ＲＸデータ・プロセッサ２６０による処理は、送信機システム２１０のＴＸ  ＭＩＭＯプロセッサ２２０及びＴＸデータ・プロセッサ２１４によって実行された処理と相補的である。
【００６２】
［0062］  プロセッサ２７０は、どの前符号化マトリクス（pre-coding matrix）を用いるかを定期的に決定する。プロセッサ２７０は、マトリクス・インデクス部分とランク値部分とを備える逆方向リンク・メッセージを公式化し（formulate）、メモリ２７２と、動作して通信中でありうる。プロセッサ２７０は、メモリ２７２と動作可能に結合されうる。メモリ２７２は、プロセッサ２７０によって実行されると、受信機２５０に、モバイル・エンティティによる性能に関して本明細書で後に詳しく説明されるＰ２Ｐ承認方法のうちの１つ又は複数を実行させる、プログラム命令及び／又はデータを保持しうる。
【００６３】
［0063］  逆方向リンク・メッセージは、通信リンク及び／又は受信データ・ストリームに関する様々なタイプの情報を備えうる。逆方向リンク・メッセージはその後、データ・ソース２３６からの複数のデータ・ストリームに関するトラヒック・データも受信するＴＸデータ・プロセッサ２３８によって処理され、変調器２８０によって変調され、送信機２５４ａ乃至２５４ｒによって調整され、送信機システム２１０へ送り返される。
【００６４】
［0064］  送信機システム２１０において、受信機システム２５０からの変調信号はアンテナ２２４によって受信され、受信機２２２によって調整され、復調器２４０によって復調され、受信機システム２５０によって送信される逆方向リンク・メッセージを引き出すためにＲＸデータ・プロセッサ２４２によって処理される。プロセッサ２３０はその後、ビームフォーミング重みを決定するためにどの前符号化マトリクスを用いるかを決定し、引き出されたメッセージを処理する。プロセッサ２３０は、メモリ２３２に動作可能に結合されうる。メモリ２３２は、プロセッサ２３０によって実行されると送信機２１０に、本明細書で後に詳しく説明されるように例えば基地局のようなネットワーク・エンティティの動作を実行させるプログラム命令及び／又はデータを保持しうる。あるいは、システム２００が、ピア・モバイル・エンティティ間のＰ２Ｐ構成を示すように解釈される場合、メモリ２３２は、プロセッサ２３０によって実行されると、送信機２１０に、本明細書で後に詳しく説明されるようにモバイル・エンティティによる性能に関する１つ又は複数のＰ２Ｐ承認方法を実行させるプログラム命令及び／又はデータを保持しうる。
【００６５】
［0065］  図３は、本明細書における教示が実現されうる、複数のユーザをサポートするように構成された無線通信システム３００を示す。システム３００は、例えば、各々が対応するアクセス・ノード３０４（例えば、アクセス・ノード３０４ａ乃至３０４ｇ）によってサービス提供されているマクロ・セル３０２ａ乃至３０２ｇのような複数のセル３０２に関する通信を提供する。図３に示すように、モバイル・エンティティ３０６（例えば、モバイル・エンティティ３０６ａ乃至３０６ｌ）は、時間とともにシステム全体の様々なロケーションに散在しうる。各モバイル・エンティティ３０６は、例えば、モバイル・エンティティ３０６がアクティブであるか及び（適用可能である場合）ソフト・ハンドオフ中であるかに依存して、所与の時間に順方向リンク（「ＦＬ」）及び／又は逆方向リンク（「ＲＬ」）において１つ又は複数のアクセス・ノード３０４と通信しうる。無線通信システム３００は、大きな地理的領域にわたってサービスを提供しうる。例えばマクロ・セル３０２ａ乃至３０２ｇは、都市又は郊外近辺において数ブロック、あるいは農村環境において数平方マイルをカバーしうる。アクセス・ノード３０４ａ乃至３０４ｇの各々は、コア・ネットワーク（図示せず）へ接続するためのバックホール・インタフェースを含みうる。コア・ネットワークは、システム３００の動作を制御するため及び他のネットワークとの相互動作のための様々なネットワーク・エンティティを含みうる。例えばコア・ネットワークは、移動性管理機能のために構成された処理モジュールを含むコンピュータ・サーバとして構成されうるＭＭＥを含みうる。一態様において、これらの機能は、本明細書で後に詳しく開示されるようなＰ２Ｐ承認方法を含みうる。
【００６６】
［0066］  本開示の主題の態様によると、ピアツーピア（Ｐ２Ｐ）通信のためのスペクトル・プロバイダ（例えば、ＬＴＥネットワーク・プロバイダ）を用いるための特徴、特に、共通エリア内で同時にＰ２Ｐ及びセルラを用いることを可能にする又は向上させるためにスペクトルを管理するための特徴を有する無線ネットワーク（例えば、３ＧＰＰネットワーク）が提供される。この文脈において、Ｐ２Ｐ通信は、アクセス・ノード又はコア・ネットワーク・ノードを通して通信されるデータの移動の必要がない、２つ以上のモバイル・エンティティ間での直接通信である。上述したように、セルラ・システムにおいてＰ２Ｐ通信は、音声及びデータの通信に関してモバイル・エンティティと基地局との間でより一般的に用いられるセルラ通信モードを補足しうるが、完全に置き換わることはない。
【００６７】
［0067］  図４は、ラジオ・アクセス・ネットワーク（a radio access network）（ＲＡＮ）のｅＮＢ４０２、４０４を介して及び直接無線接続を介して通信中のモバイル・エンティティ４０６、４０８、４１０を備える通信システム４００の実施形態を示す。図示された例は、（１）同一のｅＮＢ４０４におけるセルに留まっている（camped）ＵＥ４０８、４１０、及び（２）異なるｅＮＢ４０２、４０４のそれぞれに関するセルに留まっているＵＥ４０６、４１０、に関するピア発見を示す。ピア発見は、ＵＥが、ラジオ周波数（radio frequency）（ＲＦ）近接内のＵＥに通知される（advertised）他のサービスの利用可能性を検出する手順であり、一般に、モバイル・エンティティによるピア通知（peer advertisement）と、モバイル・エンティティ・ピアによって通知されたサービスのモバイル・エンティティによるピア検出とを含みうる。
【００６８】
［0068］  ピア・モバイル・エンティティは検出を実行することができ、この場合、承認されたモバイル・エンティティが、検出を実行することをできる情報（例えば、セキュリティ・キー）を受信しうる。また、ピア・モバイル・エンティティは通知すること（advertising）を実行することができ、この場合、承認されたモバイル・エンティティは、発見識別子（discovery identifier）を通知することができる情報（例えば、セキュリティ・キー）を受信しうる。各モバイル・エンティティは、発見識別子に関してモバイル・エンティティが承認されていないその発見識別子を通知しない（Each mobile entity refrains from advertising a discovery identifier for which it has not been authorized.）。更に、ピア・モバイル・エンティティは直接通信を実行することができ、この場合、各モバイル・エンティティは、発見識別子に関してモバイル・エンティティが承認されていないその発見識別子を通知しているピア（a peer advertising a discovery identifier for which it has not been authorized）との直接通信を確立しない。コア・ネットワークは、例えばＭＭＥといった１つ又は複数のネットワーク・エンティティを用いて、例えばピア検出、ピア通知、及びＰ２Ｐ通信を含むＰ２Ｐ動作に関する承認を制御しうる。
【００６９】
［0069］  ネットワーク又はスペクトル・プロバイダは、上述したＰ２Ｐ通信手順を実行するためにネットワークのスペクトルを用いるためのモバイル・エンティティを承認しうる。モバイル・エンティティは、Ｐ２Ｐパラメータを設定され（provisioned）ず、各手順又は手順のセットについて承認を要求することが期待されうる。例えばモバイル・エンティティは、検出、検出及び通知、及び／又は直接通信のための承認を要求しうる。本明細書で説明された技術に基づく承認は、（ａ）追跡エリア更新(tracking area update)（ＴＡＵ）手順に関する追跡エリアごとに、（ｂ）接続手順に関する接続された間に、及び／又は（ｃ）次世代パケット・システム（evolved packet system）（ＥＰＳ）セッション管理（session management）（ＥＳＭ）手順のために確保されたベアラの寿命に基づいて、行われうる。
【００７０】
［0070］  本明細書で説明された実施形態の１つ又は複数の態様によると、非アクセス層（ＮＡＳ）手順を用いるＰ２Ｐ承認に関する技術が提供される。当該技術において周知であるように、アクセス層は、ラジオ・アクセス（radio access）及び通信のために用いられる、ＵＥとラジオ・ネットワークとの間のテレコミュニケーション・スタック（例えば、ＵＭＴＳ又はＬＴＥ）における機能層を称する。非アクセス層は同様に、例えば移動性管理、コール制御、セッション管理、又はアイデンティティ管理といった制御機能のために用いられる、ＵＥとコア・ネットワークとの間のテレコミュニケーション・スタック（例えば、ＵＭＴＳ又はＬＴＥ）における機能層を称する。従って、ＮＡＳ手順は、ＮＡＳを用いる手順を称する。
【００７１】
［0071］  ＮＡＳ手順を用いるＰ２Ｐ承認の場合、２つの一般的なタイプの技術が用いられうる。第１の技術タイプは、新ＥＳＭ手順に基づくＰ２Ｐ承認及び既存のＥＳＭ手順に基づくＰ２Ｐ承認を含む、ＥＳＭ手順を含みうる。第２の技術タイプは、ＥＰＳ移動性管理（EPS mobility management）（ＥＭＭ）Ｐ２Ｐ手順に基づくＰ２Ｐ承認を含みうる。関連する態様において、所与のモバイル・エンティティに関するＰ２Ｐ加入データは、加入者データ・タイプ挿入手順（an insert subscriber data type procedure）を用いてホーム加入者サーバ（a home subscriber server）（ＨＳＳ）などによって、例えばＭＭＥのような管理エンティティに配信されうる。
【００７２】
［0072］  新ＥＳＭ手順に基づくＰ２Ｐ承認をまず参照する。この手順は、各発見識別子を通知すること又は管理エンティティ（例えば、ＭＭＥ）からの各直接ピア通信を確立することに関する承認を要求するために用いられうる。このＰ２Ｐ承認手順は、Ｐ２Ｐサービスに関する単一の汎用承認（a single general authorization）にも適用されうる。
【００７３】
［0073］  図５を参照すると、１つの実施形態において、システム５００は、少なくとも１つのモバイル・エンティティ（例えば、ＵＥ５０２）、少なくとも１つのネットワーク・エンティティ（例えば、ｅＮＢ５０４）、及びコア・ネットワークの少なくとも１つの管理エンティティ（例えば、ＭＭＥ５０６）を備えうる。図示したように、ＵＥ５０２は、オプションとして、時間ｔ１にＮＡＳを介してＭＭＥ５０６へＰ２Ｐ承認要求メッセージ５１０を送信しうる。Ｐ２Ｐ承認メッセージは、１つ又は複数のＰ２Ｐ動作を実行するための要求としてネットワーク・エンティティによって認識可能である１つ又は複数の識別子又は他のデータ信号である、あるいはそれを含むことができる。ｔ２において、ＵＥ５０２が特定の発見識別子に関する承認を要求した場合、ＭＭＥ５０６は、発見識別子がＵＥ５０２の加入（subscription）に含まれるかを検査しうる、及び／又は、発見識別子が失効して(expired)いないことを確認しうる。発見識別子が存在しない又は失効している場合、ＭＭＥ５０６は、（例えば、この発見識別子に関して承認されなかった）対応する原因値（cause value）とともにＵＥ５０２へ対応するＮＡＳ拒絶メッセージを送信しうる。全ての検査が良い結果であった場合、ＭＭＥ５０６は、（ＮＡＳを介して）ＵＥ５０２へ及び／又は（アクセス層を介して）ｅＮＢ５０４へＰ２Ｐ承認許可メッセージ５１２を送信しうる。Ｐ２Ｐ承認許可メッセージは、１つ又は複数のＰ２Ｐ動作を実行するための承認としてモバイル・エンティティによって認識可能な１つ又は複数の識別子又は他のデータ信号である、又はそれを含むことができる。ｔ３において、ｅＮＢ５０４は、ラジオ・リソース制御（radio resource control）（ＲＲＣ）Ｐ２Ｐ設定要求５１４をＵＥ５０２へ送信しうる。ＲＲＣ  Ｐ２Ｐ設定要求５１４は、承認許可メッセージ５１２に抱き合わせられ（piggybacked）うる。ｔ４において、ＵＥ５０２は、ＲＲＣ設定完了メッセージ５１６をｅＮＢ５０４へ送信しうる。ｔ５において、ＵＥ５０２は、オプションとして、ＮＡＳを介してＰ２Ｐ承認完了メッセージ５１８をＭＭＥ５０６へ送信しうる。
【００７４】
［0074］  上述した新ＥＳＭ手順は、ネットワークによって開始され、ＵＥ５０２によって許可され（accepted）うる。ＵＥ５０２は、ある手順トランザクションＩＤ（procedure transaction ID）（ＰＴＩ）などとともに特定のＥＳＭメッセージを送信することによってＥＳＭ手順をトリガしうる。タイマ満了、再送信、及び／又は他の異常シナリオに関するＵＥ５０２及びネットワークの行動は、既存のＥＳＭ手順と同様に操作されうる。
【００７５】
［0075］  関連する態様において、ＵＥ５０２は、例えば新たな／既存の発見識別子の接続確立又は通知を追加する／置き換えるための、又は例えばサービス品質（ＱｏＳ）のようなパラメータを変更するための、Ｐ２Ｐ変更要求を開始しうる。更なる関連する態様において、ＭＭＥ５０６は、例えばＨＳＳなどにおける加入データ（subscription data）の変更によって開始されうるＰ２Ｐ非アクティブ化要求（a deactivate P2P request）を開始しうる。
【００７６】
［0076］  既存のＥＳＭ手順に基づくＰ２Ｐ承認の次を参照する。この手順は、パケット・データ・ネットワーク（ＰＤＮ）接続要求及び（例えば、デフォルトＥＰＳベアラ・コンテキスト要求をアクティブ化すること、ＥＰＳベアラ・コンテキスト要求を変更することなどによって）ＥＰＳベアラ・コンテキスト・メッセージを用いうる。このＰ２Ｐ承認手順は、各発見識別子を通知するため、又はＭＭＥなどからの各直接ピア通信を確立するために用いることができ、Ｐ２Ｐサービスに関する単一の汎用承認にも適用されうる。既存のＥＳＭ手順に基づくＰ２Ｐ承認の結果、対応するベアラがアクティブ化されることによって、コア・ネットワーク・リソースがＰ２Ｐサービスのために確保されることになる。
【００７７】
［0077］  関連する態様において、既存のＥＳＭ手順を用いることを含む発見のためのＰ２Ｐ承認が提供される。図６を参照すると、１つの実施形態において、システム６００は、少なくとも１つのモバイル・エンティティ（例えば、ＵＥ６０２）と、少なくとも１つのネットワーク・エンティティ（例えば、ｅＮＢ６０４）と、少なくとも１つの管理エンティティ（例えば、ＭＭＥ６０６）とを備えうる。図６に示されるコール・フローは、新ＥＳＭ手順に関して図５に示されたコール・フローと実質的に同様である。図６に示すように、ＵＥ６０２は、オプションとして、時間ｔ１にＮＡＳを介してＭＭＥ６０６へＰＤＮ接続要求メッセージ６１０を送信しうる。ｔ２において、Ｐ２Ｐ承認検査が良い結果であった場合、ＭＭＥ６０６は、（ＮＡＳを介して）ＵＥ６０２へ及び／又は（アクセス層を介して）ｅＮＢ６０４へデフォルトＥＰＳベアラ・コンテキスト・アクティブ化メッセージを送信しうる。ｔ３において、ｅＮＢ６０４は、ラジオ・リソース制御（ＲＲＣ）Ｐ２Ｐ設定要求６１４をＵＥ６０２へ送信しうる。ＲＲＣ  Ｐ２Ｐ設定要求６１４は、デフォルトＥＰＳベアラ・コンテキスト・アクティブ化メッセージ６１２に抱き合わせられうる。ｔ４において、ＵＥ６０２は、ｅＮＢ６０４へＲＲＣ設定完了メッセージ６１６を送信しうる。ｔ５において、ＵＥ６０２は、オプションとして、ＮＡＳを介してＭＭＥ６０６へデフォルトＥＰＳベアラ・コンテキスト・アクティブ化許可メッセージ６１８を送信しうる。
【００７８】
［0078］  ＵＥ６０２が、Ｐ２Ｐサービスに関する特定のＰＤＮゲートウェイ（Ｐ−ＧＷ）への接続を要求しようと試みている状況において、ＰＤＮ接続要求を再利用することが有利となりうる。例えばＥＰＳベアラＩＤ（ＥＢＩ）、アクセス・ポイント・ネーム（ＡＰＮ）、Ｐ−ＧＷアドレス、又はＥＰＳ  ＱｏＳのような特定のパラメータが要求されない場合、不必要なオーバヘッドが生じうる。
【００７９】
［0079］  更なる関連する態様において、既存のＥＳＭ手順を用いることを含む直接通信に関するＰ２Ｐ承認が提供される。図７を参照すると、１つの実施形態において、システム７００は、少なくとも１つのモバイル・エンティティ（例えば、ＵＥ７０２）と、少なくとも１つのネットワーク・エンティティ（例えば、ｅＮＢ７０４）と、少なくとも１つの管理エンティティ（例えば、ＭＥ７０６）とを備えうる。図７に示すコール・フローは、図５及び６に示すコール・フローと実質的に同様である。図７に示すように、ＵＥ７０２は、オプションとして、時間ｔ１にＮＡＳを介してＭＭＥ７０６へベアラ・リソース割当て要求メッセージ７１０を送信しうる。ｔ２において、Ｐ２Ｐ承認検査が良い結果であった場合、ＭＭＥ７０６は、（ＮＡＳを介して）ＵＥ７０２へ及び／又は（アクセス層を介して）ｅＮＢ７０６へ専用ＥＰＳベアラ・コンテキスト・アクティブ化メッセージ７１２を送信しうる。ｔ３において、ｅＮＢ７０４は、ラジオ・リソース制御（ＲＲＣ）Ｐ２Ｐ設定要求７１４をＵＥ７０２へ送信しうる。ＲＲＣ  Ｐ２Ｐ設定要求７１４は、専用ＥＰＳベアラ・コンテキスト・アクティブ化メッセージ７１２に抱き合わせられうる。ｔ４において、ＵＥ７０２は、ＲＲＣ設定完了メッセージ７１６をｅＮＢ７０４へ送信しうる。ｔ５において、ＵＥ７０２は、オプションとして、ＮＡＳを介してＭＭＥ７０６へ専用ＥＰＳベアラ・コンテキスト・アクティブ化許可メッセージを送信しうる。
【００８０】
［0080］  直接通信に関するＰ２Ｐ承認は、対応するＱｏＳで専用ベアラをアクティブ化するためにリンクされることができ、広域ネットワーク（ＷＡＮ）を介する通信と直接Ｐ２Ｐリンクとの間のセッション移動性のために役立ちうる。あるいは又は加えて、追加の発見識別子を通知することが、専用ベアラの利用にリンクされうる。
【００８１】
［0081］  既存のＥＭＭ手順に基づくＰ２Ｐ承認を参照すると、Ｐ２Ｐ承認は、Ｐ２Ｐ固有情報を有する新たな情報要素（information elements）（ＩＥ）の追加を含みうる、接続手順及び／又はＴＡＵ手順に抱き合わせられうる。ＥＭＭ手順の実現は、主に、Ｐ２Ｐサービスに関する単一の汎用承認のために用いられうる。図８を参照すると、接続手順に基づく汎用Ｐ２Ｐ承認のためのコール・フローが提供される。１つの実施形態において、システム８００は、互いに動作可能に通信中である、少なくとも１つのモバイル・エンティティ（例えば、ＵＥ８０２）、少なくとも１つのネットワーク・エンティティ（例えば、ｅＮＢ８０４）、第１の管理エンティティ（例えば、新ＭＭＥ８０６）、第２の管理エンティティ（例えば、旧ＭＭＥ／ＳＧＳＮ（サービス提供ＧＰＲＳ（汎用パケット・ラジオ・サービス）サポート・ノード））８０８、第１のコア・ネットワーク・エンティティ（例えば、装置識別レジスタ（ＥＩＲ）８１０）及び第２のコア・ネットワーク・エンティティ（例えば、ＨＳＳ８１２）を備えうる。
【００８２】
［0082］  アイデンティティ検査（identity check）、認証、及び承認を含む態様は、通常の接続手順（attach procedure）の一部であるので、図８は、登録に関する態様を示す。ｔ１において、ＵＥ８０２は、例えばＮＡＳを介した新ＭＭＥ８０６への登録メッセージ（例えば、接続要求メッセージ（attach request message）８２０）にＰ２Ｐ承認要求（例えば、Ｐ２Ｐ又は発見承認要求ＩＥ（discovery authorization request IE））を含みうる。周知のＵＥアイデンティティ検査及び認証がｔ７まで実行されうる。ｔ７において、新ＭＭＥ８０６は、ＵＥ８０２に関するＰ２Ｐ加入データを検査し、ＵＥ８０２へ登録許可メッセージ（例えば、接続許可メッセージ（attach accept message）８３０）においてＰ２Ｐ承認応答（例えば、Ｐ２Ｐ承認応答ＩＥ）を提供しうる。
【００８３】
［0083］  関連する態様において、同一の又は同様のＩＥがＴＡＵ手順に含まれうる。例えばＴＡＵ手順は、ＵＥからＭＭＥへのＴＡＵ要求メッセージ内にＰ２Ｐ承認要求ＩＥを含み、ＭＭＥからＵＥへのＴＡＵ許可メッセージ内にＰ２Ｐ承認応答ＩＥを含みうる。更なる関連する態様において、Ｐ２Ｐ承認は、接続許可メッセージ又はＴＡＵ許可メッセージに含まれた追跡エリア・リストに関しうる。
【００８４】
［0084］  本明細書に示され説明された典型的なシステムの観点から、開示された主題に従って実現されうる方法は、様々なフロー・チャートを参照してより良く理解されるであろう。説明の簡略化の目的のために、方法は、一連の動作／ブロックとして示され説明されるが、特許請求された主題は、ブロックの数又は順序によって限定されず、いくつかのブロックは、異なる順序で及び／又は本明細書で示され説明されたもの以外のブロックとほぼ同時に発生しうることが理解されるべきである。更に、本明細書で説明された方法を実現するために、図示されたブロック全てが必要であるとは限らない。ブロックに関連する機能は、ソフトウェア、ハードウェア、それらの組み合わせ、又は他の任意の適切な手段（例えば、デバイス、システム、処理、又は構成要素）によって実現されうることが理解されるべきである。更に、本明細書を通して開示された方法は、そのような方法を様々なデバイスへ移動及び転送することを容易にするために、例えば持続性コンピュータ読取可能媒体のような製品に、符号化された命令の形式で格納されることができる。符号化された命令がプロセッサによって実行されると、プロセッサは、そのプロセッサが制御するデバイスに方法を実行させうる。当業者は、方法が、例えば状態図のような、一連の相互関連性を持つ状態又はイベントとして表されうることを理解し認識するであろう。
【００８５】
［0085］  本開示の主題の１つ又は複数の態様によると、ＥＳＭ手順に基づくＰ２Ｐ承認のための方法が提供される。図９を参照すると、例えばモバイル・エンティティ（例えば、ＵＥ）のような無線通信装置において実行されうる方法９００が示される。方法９００の要素は、図５に示すコール・フロー図における要素の代わりとして図示されうる。
【００８６】
［0086］  図９に挙げられた動作の全ては、モバイル・エンティティ、又は別のピア装置とのＰ２Ｐ通信に従事するための同様の装置によって実行されうる。Ｐ２Ｐ承認は、（モバイル・エンティティと基地局との間のセルラ通信とは異なり、）基地局とモバイル・エンティティとの間のセルラ通信も用いる無線通信システムにおけるＰ２Ｐ通信に関しうる。Ｐ２Ｐ承認は、各モバイル・エンティティが、Ｐ２Ｐ発見及び／又はＰ２Ｐ通信を含むあるＰ２Ｐ動作の開始前にＰ２Ｐ承認を取得することを必要とする制御スキームにおいて動作しうる。Ｐ２Ｐ承認がなければ、そのような制御スキームは、そのモバイル・エンティティが、セルラ動作を干渉しうるあらゆるＰ２Ｐ動作を実行しないように要求することができるので、モバイル・エンティティは、Ｐ２Ｐ承認が完了するまでセルラ・モードでの動作に制限されうる。
【００８７】
［0087］  方法９００は、９１０において、モバイル・エンティティが、ＮＡＳを介して管理エンティティ（例えばＭＭＥ）からのＰ２Ｐ承認許可メッセージを受信することを含みうる。Ｐ２Ｐ承認許可メッセージは、Ｐ２Ｐ動作をイネーブル又はサポートするための１つ又は複数の動作の承認としてモバイル・エンティティによって認識される１つ又は複数のデータあるいは識別子を含みうる。方法９００は、９２０において、モバイル・エンティティが、ネットワーク・エンティティ（例えばｅＮＢ）からのＲＲＣ  Ｐ２Ｐ設定要求を受信することを含みうる。Ｐ２Ｐ設定要求は、モバイル・エンティティが指定された方法でＰ２Ｐ動作を設定するように、要求していることをモバイル・エンティティが認識する無線データ信号を備えうる。方法９００は、９３０において、モバイル・エンティティが、アクセス層を介してネットワーク・エンティティへＲＲＣ  Ｐ２Ｐ設定完了メッセージを送信することを含みうる。Ｐ２Ｐ設定完了メッセージは、指定されたＰ２Ｐ設定が完了したことを示すデータを含みうる。
【００８８】
［0088］  図１０は、方法９００に関連して又は方法９００の一部として実行されうる追加の動作又は態様を示す。図１０に示す追加の動作のうちの１つ又は複数は、方法９００の一部としてモバイル・エンティティによってオプションとして実行されることができ、方法９００の要素のうちの１つを変更する態様、あるいは方法９００の要素のうちの１つを実行するためのより詳細なアルゴリズムを説明する。これらの要素は、任意の動作可能な順序で実行されうる、あるいは、実行の特定の時系列的順序（a particular chronological order of performance）を必要としない展開アルゴリズムによって包括されうる。動作は独立して実行され、互いに排他的ではない。従って、そのような動作のうちの任意の１つが、別のダウンストリーム又はアップストリームの動作が実行されるかに関わらず、実行されうる。例えば、方法９００が動作９４０乃至９７２のうちの少なくとも１つを含む場合、方法９００は、少なくとも１つの動作の後、必ずしも図示されうるあらゆる後続のダウンストリーム動作を含む必要はなく、終了しうる。
【００８９】
［0089］  図１０を参照すると、方法９００は更に、９４０において、モバイル・エンティティが、ＮＡＳを介して管理エンティティへＰ２Ｐ承認要求メッセージを送信することを含みうる。この動作９４０は、図５の５１０においても示すように、Ｐ２Ｐ承認許可メッセージを受信する前に実行されうる。方法９００は更に、９５０において、モバイル・エンティティが、ＮＡＳを介して管理エンティティへＰ２Ｐ承認完了メッセージを送信することを含みうる。この動作９５０は、図９のブロック９３０において示すようにネットワーク・エンティティへＲＲＣ  Ｐ２Ｐ設定完了メッセージを送信した後、モバイル・エンティティによって実行されうる。
【００９０】
［0090］  関連する態様において、再び図１０を参照すると、Ｐ２Ｐ承認のための方法９００は、セルラ無線通信システムの共通エリア内の１つ又は複数のピア・デバイスの発見のための承認を備えうる。例えば、Ｐ２Ｐ承認許可メッセージ９１０を受信することは、９６０において、モバイル・エンティティがデフォルトＥＰＳベアラ・コンテキスト・アクティブ化メッセージを受信することを含みうる。方法９００は更に、９６２において、デフォルトＥＰＳベアラ・コンテキスト・アクティブ化メッセージに応答して、ＮＡＳを介して管理エンティティへデフォルトＥＰＳベアラ・コンテキスト・アクティブ化許可メッセージを送信することを含みうる。
【００９１】
［0091］  更なる関連する態様において、Ｐ２Ｐ承認は、直接通信のための承認を備えうる。Ｐ２Ｐ承認許可メッセージ９１０を受信することは、９７０において、専用ＥＰＳベアラ・コンテキスト・アクティブ化メッセージを受信することを含みうる。方法９００は更に、９７２において、ＮＡＳを介して管理エンティティへ専用ＥＰＳベアラ・コンテキスト・アクティブ化許可メッセージを送信することを含みうる。
【００９２】
［0092］  本明細書で説明された実施形態の１つ又は複数の態様に従って、図１１は、ＥＳＭ手順に基づくＰ２Ｐ承認方法１１００を示す。ここで方法１１００は、例えばＭＭＥなどのような管理エンティティにおいて実行されうる。方法９００の要素は、図５に示すコール・フロー図における要素の代わりとして示されうる。
【００９３】
［0093］  挙げられた動作の全ては、ＭＭＥ、又はセルラ通信ネットワークにおけるＰ２Ｐ通信を承認するための同様の装置によって実行されうる。上述したように、モバイル・エンティティ間のＰ２Ｐ通信は、各モバイル・エンティティと基地局との間のセルラ通信とは異なる。Ｐ２Ｐ承認は、各モバイル・エンティティが、Ｐ２Ｐ発見及び／又はＰ２Ｐ通信を含むあるＰ２Ｐ動作の開始前にＰ２Ｐ承認を取得することを必要とする制御スキームにおいて動作しうる。Ｐ２Ｐ承認がなければ、そのような制御スキームは、モバイル・エンティティが、セルラ動作を干渉しうるあらゆるＰ２Ｐ動作を実行しないように要求しうるので、モバイル・エンティティは、Ｐ２Ｐ承認が完了するまでセルラ・モードでの動作に制限されうる。
【００９４】
［0094］  方法１１００は、１１１０において、ＮＡＳを介してモバイル・エンティティからのＰ２Ｐ承認要求メッセージを受信することを含みうる。方法１１００は、１１２０において、受信したＰ２Ｐ承認要求メッセージに少なくとも部分的に基づいてモバイル・エンティティの、少なくとも１つのＰ２Ｐ承認検査を実行することを含みうる。方法１１００は、１１３０において、少なくとも１つの検査が良い結果であったことに応答して、ＮＡＳを介してモバイル・エンティティへＰ２Ｐ承認許可メッセージを送信することを含みうる。
【００９５】
［0095］  図１２は、方法１１００に関連して又は方法１１００の一部として実行されうる追加の動作又は態様を示す。図１２に示す追加の動作のうちの１つ又は複数は、方法１１００の一部として管理エンティティによってオプションとして実行されることができ、方法１１００の要素のうちの１つを変更する態様、あるいは方法１１００の要素のうちの１つを実行するためのより詳細なアルゴリズムを説明する。これらの要素は、任意の動作可能な順序で実行されうる、あるいは、実行の特定の時系列的順序を必要とせずに展開アルゴリズムによって包括されうる。動作は独立して実行され、互いに排他的ではない。従って、そのような動作のうちの任意の１つが、別のダウンストリーム又はアップストリームの動作が実行されるかに関わらず実行されうる。例えば、方法１１００が動作１１４０乃至１１６４のうちの少なくとも１つを含む場合、方法１１００は、少なくとも１つの動作の後、必ずしも図示されうるあらゆる後続のダウンストリーム動作を含む必要なく、終了しうる。
【００９６】
［0096］  図１２を参照すると、少なくとも１つの検査を実行すること１１２０は、１１４０において、モバイル・エンティティに関連付けられた特定のＩＤ又は特定のプリフィクスがモバイル・エンティティの加入と一致するかを判定することを含みうる。あるいは又は更に、少なくとも１つの検査を実行することは、１１４２において、モバイル・エンティティに関連付けられた特定のＩＤ又は特定のプリフィクスが期限切れでないかを判定することを含みうる。
【００９７】
［0097］  関連する態様において、Ｐ２Ｐ承認は、発見のための承認を備えうる。そのような場合、Ｐ２Ｐ承認要求メッセージを受信すること１１１０は、１１５０において、ＰＤＮ接続要求メッセージを受信することを含みうる。Ｐ２Ｐ承認許可メッセージを送信すること１１３０は、１１５２において、デフォルトＥＰＳベアラ・コンテキスト・アクティブ化メッセージをモバイル・エンティティへ送信することを含みうる。方法１１００は更に、１１５４において、デフォルトＥＰＳベアラ・コンテキスト・アクティブ化メッセージに応答して、ＮＡＳを介してモバイル・エンティティからのデフォルトＥＰＳベアラ・コンテキスト・アクティブ化許可メッセージを受信することを含みうる。
【００９８】
［0098］  更なる関連する態様において、Ｐ２Ｐ承認は、直接通信のための承認を備えうる。そのような場合、Ｐ２Ｐ承認要求メッセージを受信すること１１１０は、１１６０において、モバイル・エンティティからのベアラ・リソース割当て要求メッセージを受信することを含みうる。Ｐ２Ｐ承認許可メッセージを送信することは、１１６２において、専用ＥＰＳベアラ・コンテキスト・アクティブ化メッセージをモバイル・エンティティへ送信することを含みうる。方法１１００は更に、１１６４において、専用ＥＰＳベアラ・コンテキスト・アクティブ化メッセージに応答して、ＮＡＳを介してモバイル・エンティティからの専用ＥＰＳベアラ・コンテキスト・アクティブ化許可メッセージを受信することを含みうる。
【００９９】
［0099］  本明細書で説明された実施形態の１つ又は複数の態様に従って、図９乃至１０を参照して上述したようなＥＳＭ手順に基づくＰ２Ｐ承認のためのデバイス及び装置が提供される。図１３を参照すると、無線ネットワーク内のモバイル・エンティティとして、又はモバイル・エンティティ内で用いるためのプロセッサあるいは同様のデバイスとして構成されうる、典型的なモバイル装置１３００が提供される。装置１３００は、プロセッサ、ソフトウェア、又はそれらの組み合わせ（例えば、ファームウェア）によって実現される機能を表すことができる機能ブロックを含みうる。図示したように、１つの実施形態において、装置１３００は、ＮＡＳを介して管理エンティティからのＰ２Ｐ承認許可メッセージを受信するための電気的な構成要素又はモジュール１３０２を備えうる。構成要素１３０２は、受信機及びメモリに結合された制御プロセッサである又はそれを含みうる。この場合メモリは、モバイル・エンティティにＮＡＳを介して管理エンティティからのＰ２Ｐ承認許可メッセージを受信させるための符号化された命令を保持する。構成要素１３０２は、ＮＡＳを介して管理エンティティからのＰ２Ｐ承認許可メッセージを受信するための手段である又はそれを含みうる。上記手段は、アルゴリズムを動作させる少なくとも１つの制御プロセッサである又はそれを含みうる。そのアルゴリズムは、ＮＡＳを介してデータを受信することと、そのデータに基づいて、管理エンティティによって特定のＰ２Ｐ承認要求が許可されたことを示すインジケーションを認識することとを含みうる。あるいは又は加えて、そのアルゴリズムは、上述した詳細な動作９６０乃至９７２のうちの１つ又は複数を含みうる。
【０１００】
［00100］  装置１３００は、ネットワーク・エンティティからのＲＲＣ  Ｐ２Ｐ設定要求を受信するための電気的な構成要素１３０４を備えうる。構成要素１３０４は、受信機及びメモリに結合された制御プロセッサである又はそれを含みうる。この場合メモリは、モバイル・エンティティにネットワーク・エンティティからのＲＲＣ  Ｐ２Ｐ設定要求を受信させるための符号化された命令を保持する。構成要素１３０４は、ネットワーク・エンティティからのＲＲＣ  Ｐ２Ｐ設定要求を受信するための手段である又はそれを含みうる。上記手段は、アルゴリズムを動作させる少なくとも１つの制御プロセッサである又はそれを含みうる。そのアルゴリズムは、ＲＲＣを介して基地局からのデータを受信することと、ＲＲＣを介して受信したデータに基づいて、特定のＰ２Ｐ設定が要求されたことを示すインジケーションを認識することとを含みうる。
【０１０１】
［00101］  装置１３００は、アクセス層を介してネットワーク・エンティティへＲＲＣ  Ｐ２Ｐ設定完了メッセージを送信するための電気的な構成要素１３０６を備えうる。構成要素１３０６は、送信機及びメモリに結合された制御プロセッサである又はそれを含みうる。この場合メモリは、モバイル・エンティティに、アクセス層を介してネットワーク・エンティティへＲＲＣ  Ｐ２Ｐ設定完了メッセージを送信させるための符号化された命令を保持する。構成要素１３０６は、アクセス層を介してネットワーク・エンティティへＲＲＣ  Ｐ２Ｐ設定完了メッセージを送信するための手段である又はそれを含みうる。上記手段は、アルゴリズムを動作させる少なくとも１つの制御プロセッサを含みうる。そのアルゴリズムは、ＲＲＣ  Ｐ２Ｐ設定完了メッセージとして構成されたＲＲＣ  Ｐ２Ｐ設定要求への応答を符号化することと、アクセス層を介して基地局へデータを送信することとを含みうる。
【０１０２】
［00102］  関連する態様において、装置１３００は、装置１３００がモバイル・エンティティとして構成された場合、少なくとも１つのプロセッサを有するプロセッサ構成要素１３１０をオプションとして含みうる。そのような場合、プロセッサ１３１０は、バス１３１２又は同様の通信接続を介して構成要素１３０２乃至１３０６と動作可能に通信中でありうる。プロセッサ１３１０は、電気的な構成要素１３０２乃至１３０６によって実行される機能又はプロセッサの開始及びスケジューリングを実施しうる。
【０１０３】
［00103］  更なる関連する態様において、装置１３００は、ラジオ・トランシーバ構成要素１３１４を含みうる。独立型受信機及び／又は独立型送信機が、トランシーバ１３１４の代わりに又はトランシーバ１３１４と結合して用いられうる。装置１３００は、オプションとして、例えばメモリ・デバイス／構成要素１３１６のような、情報を格納するための構成要素を含みうる。コンピュータ読取可能媒体又はメモリ構成要素１３１６は、バス１３１２などを介して装置１３００の他の構成要素と結合されうる。メモリ構成要素１３１６は、構成要素１３０２乃至１３０６及びそれらのサブコンポーネント又はプロセッサ１３１０の動作及び処理、あるいは本明細書に開示された方法を実施するためのコンピュータ読取可能命令及びデータを格納するために適用されうる。メモリ構成要素１３１６は、構成要素１３０２乃至１３０６に関連付けられた機能を実行するための命令を保持しうる。構成要素１３０２乃至１３０６は、メモリ１３１６に外付けであるように図示されたが、メモリ１３１６内に存在しうることが理解されるべきである。
【０１０４】
［00104］  本明細書で説明された実施形態の１つ又は複数の態様に従って、図１１乃至１２を参照して上述されたようなＥＳＭ手順に基づくＰ２Ｐ承認のためのデバイス及び装置が提供される。図１４を参照すると、コア・ネットワークの管理エンティティ（例えば、ＭＭＥ）、又は管理エンティティ内で用いるためのプロセッサあるいは同様のデバイスとして構成されうる典型的な管理装置１４００が提供される。
【０１０５】
［00105］  図示したように、１つの実施形態において、装置１４００は、ＮＡＳを介してモバイル・エンティティからのＰ２Ｐ承認要求メッセージを受信するための電気的な構成要素又はモジュール１４０２を備えうる。構成要素１４０２は、受信機及びメモリに結合された制御プロセッサである又はそれを含みうる。この場合メモリは、ＮＡＳを介してモバイル・エンティティからのＰ２Ｐ承認要求メッセージを受信するための符号化された命令を保持する。構成要素１４０２は、ＮＡＳを介してモバイル・エンティティからのＰ２Ｐ承認要求メッセージを受信するための手段である又はそれを含みうる。上記手段は、アルゴリズムを動作させる少なくとも１つの制御プロセッサである又はそれを含みうる。そのアルゴリズムは、ＮＡＳを介してデータを受信することと、そのデータに基づいて、モバイル・エンティティからの特定のＰ２Ｐ承認要求を示すインジケーションを認識することとを含みうる。あるいは又は加えて、そのアルゴリズムは、上述した詳細な動作１１５０乃至１１６２のうちの１つ又は複数を含みうる。
【０１０６】
［00106］  装置１４００は、受信したＰ２Ｐ承認要求メッセージに少なくとも部分的に基づいて、モバイル・エンティティの、少なくとも１つのＰ２Ｐ承認検査を実行するための電気的な構成要素１４０４を備えうる。構成要素１４０４は、メモリに結合された制御プロセッサである又はそれを含みうる。この場合メモリは、モバイル・エンティティに、受信したＰ２Ｐ承認要求メッセージに少なくとも部分的に基づいてモバイル・エンティティの、少なくとも１つのＰ２Ｐ承認検査を実行させるための符号化された命令を保持する。構成要素１４０４は、受信したＰ２Ｐ承認要求メッセージに少なくとも部分的に基づいてモバイル・エンティティの、少なくとも１つのＰ２Ｐ承認検査を実行するための手段である又はそれを含みうる。上記手段は、アルゴリズムを動作させる少なくとも１つの制御プロセッサである又はそれを含みうる。そのアルゴリズムは、上述した詳細な動作１１４０又は１１５０を含みうる。加えて又はあるいは、そのアルゴリズムは、企図されるＰ２Ｐ動作のために利用可能なリソースの現在のレベルを決定することと、利用可能なリソースの現在のレベルに基づいて承認を決定することとを含みうる。
【０１０７】
［00107］  装置１４００は、少なくとも１つの検査が良い結果であったことに応答して、ＮＡＳを介してモバイル・エンティティへＰ２Ｐ承認許可メッセージを送信するための電気的な構成要素１４０６を備えうる。構成要素１４０６は、送信機及びメモリに結合された制御プロセッサである又はそれを含みうる。この場合メモリは、モバイル・エンティティに、少なくとも１つの検査が良い結果であったことに応答してＮＡＳを介してモバイル・エンティティへＰ２Ｐ承認許可メッセージを送信させるための符号化された命令を保持する。構成要素１３０６は、少なくとも１つの検査が良い結果であったことに応答して、ＮＡＳを介してモバイル・エンティティへＰ２Ｐ承認許可メッセージを送信するための手段である又はそれを含みうる。上記手段は、アルゴリズムを動作させる少なくとも１つの制御プロセッサである又はそれを含みうる。そのアルゴリズムは、Ｐ２Ｐ承認検査の結果を判定することと、その結果に基づいてＰ２Ｐ承認許可メッセージを形成することと、ＮＡＳを介してモバイル・エンティティへＰ２Ｐ承認許可メッセージを送信することとを含みうる。
【０１０８】
［00108］  関連する態様において、装置１４００は、装置１４００が無線通信システムのコア・ネットワークに関する管理エンティティとして構成された場合、少なくとも１つのプロセッサを有するプロセッサ構成要素１４１０をオプションとして含みうる。そのような場合、プロセッサ１４１０は、バス１４１２又は同様の通信接続を介して構成要素１４０２乃至１４０６と動作可能に通信中でありうる。プロセッサ１４１０は、電気的な構成要素１４０２乃至１４０６によって実行される処理又は機能の開始及びスケジューリングを実施しうる。
【０１０９】
［00109］  更なる関連する態様において、装置１４００は、ラジオ・トランシーバ構成要素１４１４を含みうる。独立型受信機及び／又は独立型送信機が、トランシーバ１４１４と関連して又はその代わりに用いられうる。装置１４００は、例えばメモリ・デバイス／構成要素１４１６のような、情報を格納するための構成要素をオプションとして含みうる。コンピュータ読取可能媒体又はメモリ構成要素１４１６は、バス１４１２などを介して装置１４００の他の構成要素に動作可能に結合されうる。メモリ構成要素１４１６は、構成要素１４０２乃至１４０６及びそれらのサブコンポーネント又はプロセッサ１４１０の動作及び処理、あるいは本明細書に開示された方法を実施するためのコンピュータ読取可能命令及びデータを格納するために適用されうる。メモリ構成要素１４１６は、構成要素１４０２乃至１４０６に関連付けられた機能を実行するための命令を保持しうる。構成要素１４０２乃至１４０６は、メモリ１４１６に外付けであるように図示されるが、メモリ１４１６内に存在することもできる。
【０１１０】
［00110］  本開示の主題の１つ又は複数の態様に従って、ＥＭＭ手順に基づくＰ２Ｐ承認のための方法が提供される。図１５を参照すると、例えばモバイル・エンティティのような無線通信装置において実行されうる方法１５００が示される。挙げられた動作の全てが、モバイル・エンティティ又は同様の装置によって実行されることができ、Ｐ２Ｐ承認は、本明細書において上述された代わりの方法と関連して説明されたような状況において発生し、同様の趣旨を有しうる、方法１５００は、１５１０において、Ｐ２Ｐ承認要求を備える登録メッセージをコア・ネットワークへ送信することを含みうる。方法１５００は、１５２０において、初期コンテキスト・セットアップ要求及びＰ２Ｐ承認応答を備える、コア・ネットワークからの登録許可メッセージを受信することを含みうる。関連する態様において、Ｐ２Ｐ承認応答は、コア・ネットワークにおいてモバイル・エンティティのＰ２Ｐ承認検査が良い結果であったことに応答して、Ｐ２Ｐ承認許可メッセージを備えうる。
【０１１１】
［00111］  図１６は、方法１５００と関連して又はその一部として実行されうる追加の動作又は態様を示す。図１６に示す追加の動作のうちの１つ又は複数は、方法１５００の一部としてモバイル・エンティティによってオプションとして実行されうるか、又は、方法１５００の要素の１つを変更する態様あるいは方法１５００の要素のうちの１つを実行するためのより詳細なアルゴリズムを説明しうる。これらの要素は、任意の動作可能な順序で実行されうる、又は実行の特定の時系列的順序を必要とせずに展開アルゴリズムによって包括されうる。動作は独立して実行され、互いに排他的でない。従ってそのような動作のうちの任意の１つが、別のダウンストリーム又はアップストリームの動作が実行されるかに関わらず実行されうる。例えば、方法１６００が動作１５３０乃至１５５２のうちの少なくとも１つを含む場合、方法１５００は、少なくとも１つの動作の後、必ずしも図示されうるあらゆる後続のダウンストリーム動作を含む必要なく終了しうる。
【０１１２】
［00112］  図１６を参照すると、送信すること１５１０は、１５３０において、コア・ネットワークへ登録メッセージを転送するネットワーク・エンティティへ登録メッセージを送信することを含みうる。関連する態様において、登録メッセージを送信すること１５１０は、１５４０において、接続要求メッセージを送信することを含みうる。登録許可メッセージを受信すること１５２０は、１５４２において、接続許可メッセージを受信することを含みうる。更なる関連する態様において、登録メッセージを送信すること１５１０は、１５５０において、ＴＡＵ要求メッセージを送信することを含みうる。登録許可メッセージを受信すること１５２０は、１５５２において、ＴＡＵ許可メッセージを受信することを含みうる。
【０１１３】
［00113］  本明細書で説明された実施形態の１つ又は複数の態様に従って、図１７は、ＥＳＭ手順に基づくＰ２Ｐ承認方法１７００を示す。この方法１７００は、管理エンティティにおいて実行されうる。挙げられた動作の全てが管理エンティティ又は同様の装置によって実行されることができ、Ｐ２Ｐ承認は、上述した代わりの方法に関連して説明された状況において発生し、同様の趣旨を有しうる。方法１７００は１７１０において、モバイル・エンティティからの、Ｐ２Ｐ承認要求を備える登録メッセージを受信することを含みうる。方法１７００は、１７２０において、モバイル・エンティティの少なくとも１つの識別検査を実行することを含みうる。方法１７００は、１７３０において、少なくとも１つの識別検査が良い結果であったことに応答して、初期コンテキスト・セットアップ要求及びＰ２Ｐ承認応答を備える登録許可メッセージをモバイル・エンティティに送信することを含みうる。関連する態様において、Ｐ２Ｐ承認応答は、コア・ネットワークにおいてモバイル・エンティティのＰ２Ｐ承認検査が良い結果であったことに応答して、Ｐ２Ｐ承認許可メッセージを備えうる。
【０１１４】
［00114］  図１８は、方法１７００に関連して又はその一部として実行されうる追加の動作又は態様を示す。図１８に示す追加の動作のうちの１つ又は複数は、方法１７００の一部としてモバイル・エンティティによってオプションとして実行されうる、あるいは方法１７００の要素のうちの１つを変更する態様、又は方法１７００の要素のうちの１つを実行するためのより詳細なアルゴリズムを説明する。これらの要素は、任意の動作可能な順序で実行されうる、あるいは、実行の特定の時系列的順序を必要とせずに展開アルゴリズムによって包括されうる。動作は独立して実行され、互いに排他的でない。従って、そのような動作のうちの任意の１つは、別のダウンストリーム又はアップストリームの動作が実行されるかに関わらず実行されうる。例えば、方法１６００が動作１７４０乃至１７６２のうちの少なくとも１つを含む場合、方法１５００は、少なくとも１つの動作の後、必ずしも図示されうるあらゆる後続のダウンストリーム動作を含む必要なく終了しうる。
【０１１５】
［00115］  図１８を参照すると、受信すること１７１０は、１７４０において、モバイル・エンティティと動作可能に通信中であるネットワーク・エンティティからの登録メッセージを受信することを含みうる。関連する態様において、登録メッセージを受信すること１７１０は、１７５０において、接続要求メッセージを受信することを含みうる。そのような場合、登録許可メッセージを送信すること１７３０は、１７５２において、接続許可メッセージを送信することを含みうる。
【０１１６】
［00116］  更なる関連する態様において、登録メッセージを受信すること１７１０は、１７６０において、ＴＡＵ要求メッセージを受信することを含みうる。そのような場合、登録許可メッセージを送信すること１７３０は、１７６２において、ＴＡＵ許可メッセージを送信することを含みうる。
【０１１７】
［00117］  本明細書で説明された実施形態の１つ又は複数の態様に従って、図１５乃至１６に関連して上述されたようなＥＭＭ手順に基づくＰ２Ｐ承認のためのデバイス及び装置が提供される。図１９を参照すると、モバイル・エンティティとして、又はモバイル・エンティティ内で用いるためのプロセッサあるいは同様のデバイスとして構成されうる典型的なモバイル装置１９００が提供される。装置１９００は、プロセッサ、ソフトウェア、又はそれらの組み合わせ（例えば、ファームウェア）によって実現される機能を表すことができる機能ブロックを含みうる。図示されたように、１つの実施形態において、装置１９００は、Ｐ２Ｐ承認要求を備える登録メッセージをコア・ネットワークへ送信するための電気的な構成要素又はモジュール１９０２を備えうる。構成要素１９０２は、受信機及びメモリに結合された制御プロセッサである又はそれを含みうる。この場合メモリは、モバイル・エンティティに、Ｐ２Ｐ承認要求を備える登録メッセージをコア・ネットワークへ送信させるための符号化された命令を保持する。構成要素１９０２は、Ｐ２Ｐ承認要求を備える登録メッセージをコア・ネットワークへ送信するための手段である又はそれを含みうる。上記手段は、アルゴリズムを動作させる少なくとも１つの制御プロセッサである又はそれを含みうる。そのアルゴリズムは、Ｐ２Ｐ承認要求として登録メッセージを構成すること、及び登録メッセージをコア・ネットワークへ送信することを含みうる。あるいは又は加えて、そのアルゴリズムは、上述した詳細な動作１５３０、１５４０、又は１５５０のうちの１つ又は複数を含みうる。
【０１１８】
［00118］  装置１９００は、コア・ネットワークからの、初期コンテキスト・セットアップ要求及びＰ２Ｐ承認応答を備える登録許可メッセージを受信するための電気的な構成要素を備えうる。構成要素１９０４は、受信機及びメモリに結合された制御プロセッサである又はそれを含みうる。この場合メモリは、モバイル・エンティティに、コア・ネットワークからの、初期コンテキスト・セットアップ要求及びＰ２Ｐ承認応答を備える登録許可メッセージを受信させるための符号化された命令を保持する。構成要素１９０４は、コア・ネットワークからの、初期コンテキスト・セットアップ要求及びＰ２Ｐ承認応答を備える登録許可メッセージを受信するための手段である又はそれを含みうる。上記手段は、アルゴリズムを動作させる少なくとも１つの制御プロセッサである又はそれを含みうる。そのアルゴリズムは、コア・ネットワーク構成要素からのデジタル信号を受信すること、及び少なくとも初期コンテキスト・セットアップ要求及びＰ２Ｐ承認応答を含む、データ信号におけるＰ２Ｐ登録許可メッセージを認識することを含みうる。あるいは又は加えて、そのアルゴリズムは、上述した詳細な動作１５４２又は１５５２のうちの１つ又は複数を含みうる。
【０１１９】
［00119］  関連する態様において、装置１９００は、装置１９００がモバイル・エンティティとして構成された場合、少なくとも１つのプロセッサを有するプロセッサ構成要素１９１０をオプションとして含みうる。そのような場合、プロセッサ１９１０は、バス１９１２又は同様の通信接続を介して構成要素１９０２乃至１９０４と動作可能に通信中でありうる。プロセッサ１９１０は、電気的な構成要素１９０２乃至１９０４によって実行される処理又は機能の開始及びスケジューリングを実施しうる。
【０１２０】
［00120］  更なる関連する態様において、装置１９００は、ラジオ・トランシーバ構成要素１９１４を含みうる。独立型受信機及び／又は独立型送信機が、トランシーバ１９１４と関連して又はその代わりに用いられうる。装置１９００は、例えばメモリ・デバイス／構成要素１９１６のような、情報を格納するための構成要素をオプションとして含みうる。コンピュータ読取可能媒体又はメモリ構成要素１９１６は、オプションとして、バス１９１２などを介して装置１９００の他の構成要素と動作可能に結合されうる。メモリ構成要素１９１６は、構成要素１９０２乃至１９０４及びそれらのサブコンポーネント又はプロセッサ１９１０の動作及び処理、又は本明細書に開示された方法を実施するためのコンピュータ読取可能命令及びデータを格納するために適用されうる。メモリ構成要素１９１６は、構成要素１９０２乃至１９０４に関連付けられた機能を実行するための命令を保持しうる。構成要素１９０２乃至１９０４はメモリ１９１６に外付けであるように図示されるが、メモリ１９１６内に存在することもできる。
【０１２１】
［00121］  本明細書で説明された実施形態の１つ又は複数の態様に従って、図１７乃至１８を参照して上述されたような、ＥＭＭ手順に基づくＰ２Ｐ承認のためのデバイス及び装置が提供される。図２０を参照すると、管理エンティティとして、あるいは管理エンティティ内で用いるためのプロセッサ又は同様のデバイスとして構成されうる典型的な管理装置２０００が提供される。
【０１２２】
［00122］  １つの実施形態において、装置２０００は、モバイル・エンティティからの、Ｐ２Ｐ承認要求を備える登録メッセージを受信するための電気的な構成要素又はモジュール２００２を備えうる。構成要素２００２は、受信機及びメモリに結合された制御プロセッサである又はそれを含みうる。この場合メモリは、管理エンティティに、モバイル・エンティティからのＰ２Ｐ承認要求を備える登録メッセージを受信させるための符号化された命令を保持する。構成要素２００２は、モバイル・エンティティからの、Ｐ２Ｐ承認要求を備える登録メッセージを受信するための手段である又はそれを含みうる。上記手段は、アルゴリズムを動作させる少なくとも１つの制御プロセッサである又はそれを含みうる。そのアルゴリズムは、モバイル・エンティティからのデータ信号を受信すること、及びデータ信号におけるＰ２Ｐ承認要求メッセージを認識することを含みうる。あるいは又は加えて、そのアルゴリズムは、上述した詳細な動作１７４０、１７５０、又は１７６０のうちの１つ又は複数を含みうる。
【０１２３】
［00123］  装置２０００は、モバイル・エンティティの少なくとも１つの識別検査を実行するための電気的な構成要素２００４を備えうる。構成要素２００４は、受信機及びメモリに結合された制御プロセッサである又はそれを含みうる。この場合メモリは、管理エンティティに、モバイル・エンティティの少なくとも１つの識別検査を実行させるための符号化された命令を保持する。構成要素２００４は、モバイル・エンティティの少なくとも１つの識別検査を実行するための手段である又はそれを含みうる。上記手段は、アルゴリズムを動作させる少なくとも１つの制御プロセッサである又はそれを含みうる。そのアルゴリズムは、モバイル・エンティティからのデータ信号を受信すること、データ信号におけるモバイル・エンティティに関する識別子を認識すること、識別子に基づいて現在の承認データを取り出すためにデータ検索（data lookup）を実行すること、及びデータ検索に基づいて識別結果を返信することを含みうる。
【０１２４】
［00124］  装置２０００は、少なくとも１つの識別検査が良い結果であったことに応答して、初期コンテキスト・セットアップ要求及びＰ２Ｐ承認応答を備える登録許可メッセージをモバイル・エンティティへ送信するための電気的な構成要素２００６を備えうる。構成要素２００６は、受信機又はメモリに結合された制御プロセッサである又はそれを含みうる。この場合メモリは、管理エンティティに、少なくとも１つの識別検査が良い結果であったことに応答して、初期コンテキスト・セットアップ要求及びＰ２Ｐ承認応答を備える登録許可メッセージをモバイル・エンティティへ送信させるための、符号化された命令を保持する。構成要素２００６は、少なくとも１つの識別検査が良い結果であったことに応答して、初期コンテキスト・セットアップ要求及びＰ２Ｐ承認応答を備えるＰ２Ｐ登録許可メッセージをモバイル・エンティティへ送信するための手段である又はそれを含みうる。上記手段は、アルゴリズムを動作させる少なくとも１つの制御プロセッサである又はそれを含みうる。そのアルゴリズムは、１つ又は複数のＰ２Ｐ動作を実行するための少なくとも１つの初期コンテキスト・セットアップ要求及び承認を含むＰ２Ｐ登録許可メッセージを示すデータ信号を構成することを含みうる。あるいは又は加えて、そのアルゴリズムは、上述した詳細な動作１７５２又は１７６２のうちの１つ又は複数を含みうる。
【０１２５】
［00125］  関連する態様において、装置２０００は、装置２０００が無線通信システムのコア・ネットワークに関する管理エンティティとして構成された場合、少なくとも１つのプロセッサを有するプロセッサ構成要素２０１０をオプションとして含みうる。そのような場合、プロセッサ２０１０は、バス２０１２又は同様の通信接続を介して構成要素２００２乃至２００６と動作可能に通信中でありうる。プロセッサ２０１０は、電気的な構成要素２００２乃至２００６によって実行される処理又は機能の開始及びスケジューリングを実施しうる。
【０１２６】
［00126］  更なる関連する態様において、装置２０００は、ラジオ・トランシーバ構成要素２０２０を含みうる。独立型受信機及び／又は独立型送信機が、トランシーバ２０２０と関連して又はその代わりに用いられうる。装置２０００は、例えばメモリ・デバイス／構成要素２０１６のような、情報を格納するための構成要素をオプションとして含みうる。コンピュータ読取可能媒体又はメモリ構成要素２０１６は、バス２０１２などを介して装置２０００の他の構成要素と動作可能に結合されうる。メモリ構成要素２０１６は、構成要素２００２乃至２００６及びそれらのサブコンポーネント又はプロセッサ２０１０の動作及び処理、又は本明細書に開示された方法を実施するためのコンピュータ読取可能命令及びデータを格納するために適用されうる。メモリ構成要素２０１６は、構成要素２００２乃至２００６に関連付けられた機能を実行するための命令を保持しうる。構成要素２００２乃至２００６はメモリ２０１６に外付けであるように図示されるが、メモリ２０１６内に存在することもできる。
【０１２７】
［00127］  開示された処理におけるステップの特定の順序又は序列は、セルラ無線通信システムのなかのＰ２Ｐ承認に関するアプローチの単なる例であることが理解されるべきである。設計嗜好に基づいて、処理における特定の順序又は序列は、本開示の範囲内におけるままで並べ替えられうることが理解されるべきである。以下の方法請求項は、様々なステップの要素を例示的順序で表し、表された特定の順序又は序列に限定されることは意図されていない。
【０１２８】
［00128］  当業者は、情報及び信号が、様々な異なる技術及び技法のうちのいずれかを用いて表されうることを理解するであろう。例えば、上記説明を通して言及されうるデータ、命令、コマンド、情報、信号、ビット、シンボル、及びチップは、電圧、電流、電磁波、磁場あるいは磁気粒子、光場あるいは光学粒子、又はそれらの任意の組み合わせによって表されうる。
【０１２９】
［00129］  当業者は更に、本明細書に開示された実施形態に関連して説明された例示となる様々な論理ブロック、モジュール、回路、及びアルゴリズムのステップは、電子機器、コンピュータ・ソフトウェア、又は両者の組み合わせとして実現されうることを理解するであろう。このハードウェアとソフトウェアとの相互置換性を明確に示すために、例示となる様々な構成要素、ブロック、モジュール、回路、及びステップは、それらの機能の観点から一般的に上述された。そのような機能がハードウェアとして実現されるかソフトウェアとして実現されるかは、特定のアプリケーション及びシステム全体に課された設計制約に依存する。当業者は、各特定のアプリケーションのために様々な方法で上述の機能を実現しうるが、そのような実現の決定は、本開示の範囲から逸脱させるものとして解釈されるべきではない。
【０１３０】
［00130］  本明細書に開示された実施形態に関連して説明された例示となる様々な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいは他のプログラマブル論理デバイス、ディスクリート・ゲートあるいはトランジスタ・ロジック、ディスクリート・ハードウェア構成要素、又は本明細書で説明された機能を実行するように設計されたそれらの任意の組み合わせによって実現又は実行されうる。汎用プロセッサは、マイクロプロセッサであり得るが、あるいは汎用プロセッサは、任意の従来型プロセッサ、コントローラ、マイクロコントローラ、又はステート・マシンであることもできる。プロセッサはまた、例えばＤＳＰとマイクロプロセッサとの組み合わせ、複数のマイクロプロセッサ、ＤＳＰコアに接続された１つ又は複数のマイクロプロセッサ、又は他の任意のそのような構成といったコンピュータ・デバイスの組合せとしても実現されうる。
【０１３１】
［00131］  １つ又は複数の典型的な実施形態において、説明された機能は、ハードウェア、ソフトウェア、ファームウェア、又はそれらの任意の組み合わせによって実現されうる。ソフトウェアによる実現の場合、機能は、コンピュータ読取可能媒体上の１つ又は複数の命令又はコードとして格納あるいは送信されうる。持続性コンピュータ読取可能媒体は、コンピュータ記憶媒体を含みうる。記憶媒体は、コンピュータによってアクセスすることができる任意の利用可能な媒体でありうる。限定ではなく一例として、そのようなコンピュータ読取可能媒体は、ＲＡＭ、ＲＯＭ、ＥＥＰＲＯＭ、ＣＤ−ＲＯＭ又は他の光学ディスク記憶装置、磁気ディスク記憶装置あるいは他の磁気記憶デバイス、又は、命令あるいはデータ構成の形式で所望のプログラム・コードを搬送又は格納するために用いることができコンピュータによってアクセスすることができる他の任意の媒体を備えることができる。ディスク（disk）及びディスク（disc）は、本明細書で用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含む。ディスク（disk）が通常データを磁気的に再生するのに対し、ディスク（disc）はレーザを用いてデータを光学的に再生する。上記の組み合わせもまた、コンピュータ読取可能媒体の範囲内に含まれるべきである。
【０１３２】
［00132］  開示された実施形態の上記説明は、当業者をして、本開示の製造又は利用を可能にするために提供される。これらの実施形態に対する様々な改良が当業者には容易に明らかとなり、本明細書で定義された一般原理は、本開示の主旨又は範囲から逸脱することなく他の実施形態にも適用されうる。従って本開示は、本明細書に示された実施形態に限定されることは意図されておらず、本明細書に開示された原理及び新規特徴と整合が取れた最も広い範囲と一致するように意図されている。
なお、本願の出願当初の請求項と同一の記載を以下に付記する。
[Ｃ１］  モバイル・エンティティによるピアツーピア（Ｐ２Ｐ）承認のための方法であって、
非アクセス層（ＮＡＳ）を介して管理エンティティからのＰ２Ｐ承認許可メッセージを受信することと、
ネットワーク・エンティティからのラジオ・リソース制御（ＲＲＣ）Ｐ２Ｐ設定要求を受信することと、
アクセス層を介して前記ネットワーク・エンティティへＲＲＣ  Ｐ２Ｐ設定完了メッセージを送信することと
を備える方法。
[Ｃ２］  前記ＮＡＳを介して前記管理エンティティへＰ２Ｐ承認要求メッセージを送信することを更に備える、Ｃ１に記載の方法。
[Ｃ３］  前記ＮＡＳを介して前記管理エンティティへＰ２Ｐ承認完了メッセージを送信することを更に備える、Ｃ１に記載の方法。
[Ｃ４］  前記Ｐ２Ｐ承認は、発見のための承認を備える、Ｃ１に記載の方法。
[Ｃ５］  前記Ｐ２Ｐ承認許可メッセージを受信することは、デフォルト次世代パケット・システム（ＥＰＳ）ベアラ・コンテキスト・アクティブ化メッセージを受信することを備える、Ｃ１に記載の方法。
[Ｃ６］  前記ＮＡＳを介して前記管理エンティティへデフォルトＥＰＳベアラ・コンテキスト・アクティブ化許可メッセージを送信することを更に備える、Ｃ５に記載の方法。
[Ｃ７］  前記Ｐ２Ｐ承認は、直接通信のための承認を備える、Ｃ１に記載の方法。
[Ｃ８］  前記Ｐ２Ｐ承認許可メッセージを受信することは、専用ＥＰＳベアラ・コンテキスト・アクティブ化メッセージを受信することを備える、Ｃ１に記載の方法。
[Ｃ９］  前記ＮＡＳを介して前記管理エンティティへ専用ＥＰＳベアラ・コンテキスト・アクティブ化許可メッセージを送信することを更に備える、Ｃ８に記載の方法。
[Ｃ１０］  前記モバイル・エンティティはユーザ機器（ＵＥ）を備え、
前記管理エンティティはモバイル管理エンティティ（ＭＭＥ）を備え、
前記ネットワーク・エンティティは次世代ノードＢ（ｅＮＢ）を備える、
Ｃ１に記載の方法。
[Ｃ１１］  非アクセス層（ＮＡＳ）を介して管理エンティティからのピアツーピア（Ｐ２Ｐ）承認許可メッセージを受信し、ネットワーク・エンティティからのラジオ・リソース制御（ＲＲＣ）Ｐ２Ｐ設定要求を受信し、アクセス層を介して前記ネットワーク・エンティティへＲＲＣ  Ｐ２Ｐ設定完了メッセージを送信するように構成された少なくとも１つのプロセッサと、
前記少なくとも１つのプロセッサに結合された、データを格納するためのメモリと
を備える装置。
[Ｃ１２］  前記少なくとも１つのプロセッサは、前記ＮＡＳを介して前記管理エンティティへＰ２Ｐ承認要求メッセージを送信する、Ｃ１１に記載の装置。
[Ｃ１３］  前記少なくとも１つのプロセッサは、前記ＮＡＳを介して前記管理エンティティへＰ２Ｐ承認完了メッセージを送信する、Ｃ１１に記載の装置。
[Ｃ１４］  前記Ｐ２Ｐ承認は、発見のための承認を備える、Ｃ１１に記載の装置。
[Ｃ１５］  前記少なくとも１つのプロセッサは、デフォルト次世代パケット・システム（ＥＰＳ）ベアラ・コンテキスト・アクティブ化メッセージを受信することによって前記Ｐ２Ｐ承認許可メッセージを受信する、Ｃ１１に記載の装置。
[Ｃ１６］  前記少なくとも１つのプロセッサは、前記ＮＡＳを介して前記管理エンティティへデフォルトＥＰＳベアラ・コンテキスト・アクティブ化許可メッセージを送信する、Ｃ１５に記載の装置。
[Ｃ１７］  前記Ｐ２Ｐ承認は、直接通信のための承認を備える、Ｃ１１に記載の装置。
[Ｃ１８］  前記少なくとも１つのプロセッサは、専用ＥＰＳベアラ・コンテキスト・アクティブ化メッセージを受信することによって前記Ｐ２Ｐ承認許可メッセージを受信する、Ｃ１１に記載の装置。
[Ｃ１９］  前記少なくとも１つのプロセッサは、前記ＮＡＳを介して前記管理エンティティへ専用ＥＰＳベアラ・コンテキスト・アクティブ化許可メッセージを送信する、Ｃ１８に記載の装置。
[Ｃ２０］  非アクセス層（ＮＡＳ）を介して管理エンティティからのピアツーピア（Ｐ２Ｐ）承認許可メッセージを受信するための手段と、
ネットワーク・エンティティからのラジオ・リソース制御（ＲＲＣ）Ｐ２Ｐ設定要求を受信するための手段と、
アクセス層を介して前記ネットワーク・エンティティへＲＲＣ  Ｐ２Ｐ設定完了メッセージを送信するための手段と
を備える装置。
[Ｃ２１］  コンピュータに、
非アクセス層（ＮＡＳ）を介して管理エンティティからのピアツーピア（Ｐ２Ｐ）承認許可メッセージを受信させ、
ネットワーク・エンティティからのラジオ・リソース制御（ＲＲＣ）Ｐ２Ｐ設定要求を受信させ、
アクセス層を介して前記ネットワーク・エンティティへＲＲＣ  Ｐ２Ｐ設定完了メッセージを送信させる
ためのコードを備える持続性コンピュータ読取可能媒体を備えるコンピュータ・プログラム製品。
[Ｃ２２］  管理エンティティによるピアツーピア（Ｐ２Ｐ）承認のための方法であって、
非アクセス層（ＮＡＳ）を介してモバイル・エンティティからのＰ２Ｐ承認要求メッセージを受信することと、
前記受信したＰ２Ｐ承認要求メッセージに少なくとも部分的に基づいて、前記モバイル・エンティティの、少なくとも１つのＰ２Ｐ承認検査を実行することと、
前記少なくとも１つのＰ２Ｐ承認検査が良い結果であったことに応答して、前記ＮＡＳを介してモバイル・エンティティへＰ２Ｐ承認許可メッセージを送信することと
を備える方法。
[Ｃ２３］  前記少なくとも１つのＰ２Ｐ承認検査を実行することは、前記モバイル・エンティティに関連付けられた特定のＩＤ又は特定のプリフィクスが前記モバイル・エンティティの加入に一致するかを判定することを備える、Ｃ２２に記載の方法。
[Ｃ２４］  前記少なくとも１つのＰ２Ｐ承認検査を実行することは、前記モバイル・エンティティに関連付けられた特定のＩＤ又は特定のプリフィクスが期限切れでないかを判定することを備える、Ｃ２２に記載の方法。
[Ｃ２５］  前記Ｐ２Ｐ承認は、発見のための承認を備える、Ｃ２２に記載の方法。
[Ｃ２６］  前記Ｐ２Ｐ承認要求メッセージを受信することは、パケット・データ・ネットワーク（ＰＤＮ）接続要求メッセージを受信することを備え、
前記Ｐ２Ｐ承認許可メッセージを送信することは、デフォルト次世代パケット・システム（ＥＰＳ）ベアラ・コンテキスト・アクティブ化メッセージを送信することを備える、
Ｃ２２に記載の方法。
[Ｃ２７］  前記ＮＡＳを介して前記モバイル・エンティティからのデフォルトＥＰＳベアラ・コンテキスト・アクティブ化許可メッセージを受信することを更に備える、Ｃ２６に記載の方法。
[Ｃ２８］  前記Ｐ２Ｐ承認は、直接通信のための承認を備える、Ｃ２２に記載の方法。
[Ｃ２９］  前記Ｐ２Ｐ承認要求メッセージを受信することは、ベアラ・リソース割当て要求メッセージを受信することを備え、
前記Ｐ２Ｐ承認許可メッセージを送信することは、専用ＥＰＳベアラ・コンテキスト・アクティブ化メッセージを送信することを備える、
Ｃ２２に記載の方法。
[Ｃ３０］  前記ＮＡＳを介して前記モバイル・エンティティからの専用ＥＰＳベアラ・コンテキスト・アクティブ化許可メッセージを受信することを更に備える、Ｃ２８に記載の方法。
[Ｃ３１］  前記モバイル・エンティティはユーザ機器（ＵＥ）を備え、
前記管理エンティティはモバイル管理エンティティ（ＭＭＥ）を備える、
Ｃ２２に記載の方法。
[Ｃ３２］  非アクセス層（ＮＡＳ）を介してモバイル・エンティティからのピアツーピア（Ｐ２Ｐ）承認要求メッセージを受信し、前記受信したＰ２Ｐ承認要求メッセージに少なくとも部分的に基づいて、前記モバイル・エンティティの、少なくとも１つのＰ２Ｐ承認検査を実行し、前記少なくとも１つのＰ２Ｐ承認検査が良い結果であったことに応答して、前記ＮＡＳを介してモバイル・エンティティへＰ２Ｐ承認許可メッセージを送信するように構成された少なくとも１つのプロセッサと、
前記少なくとも１つのプロセッサに結合された、データを格納するためのメモリと
を備える装置。
[Ｃ３３］  前記少なくとも１つのプロセッサは、前記モバイル・エンティティに関連付けられた特定のＩＤ又は特定のプリフィクスが、前記モバイル・エンティティの加入に一致するかを判定することによって、前記少なくとも１つのＰ２Ｐ承認検査を実行する、Ｃ３２に記載の装置。
[Ｃ３４］  前記少なくとも１つのプロセッサは、前記モバイル・エンティティに関連付けられた特定のＩＤ又は特定のプリフィクスが期限切れでないかを判定することによって、前記少なくとも１つのＰ２Ｐ承認検査を実行する、Ｃ３２に記載の装置。
[Ｃ３５］  前記Ｐ２Ｐ承認は、発見のための承認を備える、Ｃ３２に記載の装置。
[Ｃ３６］  前記少なくとも１つのプロセッサは、パケット・データ・ネットワーク（ＰＤＮ）接続要求メッセージを受信することによって前記Ｐ２Ｐ承認要求メッセージを受信し、
前記少なくとも１つのプロセッサは、デフォルト次世代パケット・システム（ＥＰＳ）ベアラ・コンテキスト・アクティブ化メッセージを送信することによって前記Ｐ２Ｐ承認許可メッセージを送信する、
Ｃ３２に記載の装置。
[Ｃ３７］  前記少なくとも１つのプロセッサは、前記ＮＡＳを介して前記モバイル・エンティティからのデフォルトＥＰＳベアラ・コンテキスト・アクティブ化許可メッセージを受信する、Ｃ３５に記載の装置。
[Ｃ３８］  前記Ｐ２Ｐ承認は、直接通信のための承認を備える、Ｃ３２に記載の装置。
[Ｃ３９］  前記少なくとも１つのプロセッサは、ベアラ・リソース割当て要求メッセージを受信することによって前記Ｐ２Ｐ承認要求メッセージを受信し、
前記少なくとも１つのプロセッサは、専用ＥＰＳベアラ・コンテキスト・アクティブ化メッセージを送信することによって前記Ｐ２Ｐ承認許可メッセージを送信する、
Ｃ３２に記載の装置。
[Ｃ４０］  前記少なくとも１つのプロセッサは、前記ＮＡＳを介して前記モバイル・エンティティからの専用ＥＰＳベアラ・コンテキスト・アクティブ化許可メッセージを受信する、Ｃ３９に記載の装置。
[Ｃ４１］  非アクセス層（ＮＡＳ）を介してモバイル・エンティティからのピアツーピア（Ｐ２Ｐ）承認要求メッセージを受信するための手段と、
前記受信したＰ２Ｐ承認要求メッセージに少なくとも部分的に基づいて、前記モバイル・エンティティの、少なくとも１つのＰ２Ｐ承認検査を実行するための手段と、
前記少なくとも１つのＰ２Ｐ承認検査が良い結果であったことに応答して、前記ＮＡＳを介してモバイル・エンティティへＰ２Ｐ承認許可メッセージを送信するための手段と
を備える装置。
[Ｃ４２］  コンピュータに、
非アクセス層（ＮＡＳ）を介してモバイル・エンティティからのピアツーピア（Ｐ２Ｐ）承認要求メッセージを受信させ、
前記受信したＰ２Ｐ承認要求メッセージに少なくとも部分的に基づいて、前記モバイル・エンティティの、少なくとも１つのＰ２Ｐ承認検査を実行させ、
前記少なくとも１つのＰ２Ｐ承認検査が良い結果であったことに応答して、前記ＮＡＳを介してモバイル・エンティティへＰ２Ｐ承認許可メッセージを送信させる
ためのコードを備える持続性コンピュータ読取可能媒体を備えるコンピュータ・プログラム製品。
[Ｃ４３］  モバイル・エンティティによるピアツーピア（Ｐ２Ｐ）承認のための方法であって、
Ｐ２Ｐ承認要求を備える登録メッセージをコア・ネットワークへ送信することと、
前記コア・ネットワークからの、初期コンテキスト・セットアップ要求及びＰ２Ｐ承認応答を備える登録許可メッセージを受信することと
を備える方法。
[Ｃ４４］  送信することは、前記登録メッセージをコア・ネットワークへ転送するネットワーク・エンティティへ前記登録メッセージを送信することを備える、Ｃ４３に記載の方法。
[Ｃ４５］  前記ネットワーク・エンティティは、次世代ノードＢ（ｅＮＢ）を備える、Ｃ４４に記載の方法。
[Ｃ４６］  前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、Ｃ４３に記載の方法。
[Ｃ４７］  前記登録メッセージを送信することは、接続要求メッセージを送信することを備え、
前記登録許可メッセージを受信することは、接続許可メッセージを受信することを備える、
Ｃ４３に記載の方法。
[Ｃ４８］  前記登録メッセージを送信することは、追跡エリア更新（ＴＡＵ）要求メッセージを送信することを備え、
前記登録許可メッセージを受信することは、ＴＡＵ許可メッセージを受信することを備える、
Ｃ４３に記載の方法。
[Ｃ４９］  前記Ｐ２Ｐ承認は、汎用Ｐ２Ｐ承認を備え、
前記モバイル・エンティティは、ユーザ機器（ＵＥ）を備え、
送信することは、前記コア・ネットワークのモバイル管理エンティティ（ＭＭＥ）へ前記登録メッセージを送信することを備える、
Ｃ４３に記載の方法。
[Ｃ５０］  ピアツーピア（Ｐ２Ｐ）承認要求を備える登録メッセージをコア・ネットワークへ送信し、前記コア・ネットワークからの、初期コンテキスト・セットアップ要求及びＰ２Ｐ承認応答を備える登録許可メッセージを受信するように構成された少なくとも１つのプロセッサと、
前記少なくとも１つのプロセッサに結合された、データを格納するためのメモリと
を備える装置。
[Ｃ５１］  前記少なくとも１つのプロセッサは、前記登録メッセージを前記コア・ネットワークへ転送するネットワーク・エンティティへ前記登録メッセージを送信する、Ｃ５０に記載の装置。
[Ｃ５２］  前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、Ｃ５０に記載の装置。
[Ｃ５３］  前記少なくとも１つのプロセッサは、接続要求メッセージを送信することによって前記登録メッセージを送信し、
前記少なくとも１つのプロセッサは、接続許可メッセージを受信することによって前記登録許可メッセージを受信する、
Ｃ５０に記載の装置。
[Ｃ５４］  前記少なくとも１つのプロセッサは、追跡エリア更新（ＴＡＵ）要求メッセージを送信することによって前記登録メッセージを送信し、
前記少なくとも１つのプロセッサは、ＴＡＵ許可メッセージを受信することによって前記登録許可メッセージを受信する、
Ｃ５０に記載の装置。
[Ｃ５５］  ピアツーピア（Ｐ２Ｐ）承認要求を備える登録メッセージをコア・ネットワークへ送信するための手段と、
前記コア・ネットワークからの、初期コンテキスト・セットアップ要求及びＰ２Ｐ承認応答を備える登録許可メッセージを受信するための手段と
を備える装置。
[Ｃ５６］  コンピュータに、
ピアツーピア（Ｐ２Ｐ）承認要求を備える登録メッセージをコア・ネットワークへ送信させ、
前記コア・ネットワークからの、初期コンテキスト・セットアップ要求及びＰ２Ｐ承認応答を備える登録許可メッセージを受信させる
ためのコードを備える持続性コンピュータ読取可能媒体を備えるコンピュータ・プログラム製品。
[Ｃ５７］  コア・ネットワークの管理エンティティによるによるピアツーピア（Ｐ２Ｐ）承認のための方法であって、
モバイル・エンティティからの、Ｐ２Ｐ承認要求を備える登録メッセージを受信することと、
前記モバイル・エンティティの、少なくとも１つの識別検査を実行することと、
前記少なくとも１つの識別検査が良い結果であったことに応答して、初期コンテキスト・セットアップ要求及びＰ２Ｐ承認応答を備える登録許可メッセージを前記モバイル・エンティティへ送信すること
を備える方法。
[Ｃ５８］  受信することは、前記モバイル・エンティティと動作可能に通信中であるネットワーク・エンティティからの前記登録メッセージを受信することを備える、Ｃ５７に記載の方法。
[Ｃ５９］  前記ネットワーク・エンティティは、次世代ノードＢ（ｅＮＢ）を備える、Ｃ５８に記載の方法。
[Ｃ６０］  前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、Ｃ５７に記載の方法。
[Ｃ６１］  前記登録メッセージを受信することは、接続要求メッセージを受信することを備え、
前記登録許可メッセージを送信することは、接続許可メッセージを送信することを備える、
Ｃ５７に記載の方法。
[Ｃ６２］  前記登録メッセージを受信することは、追跡エリア更新（ＴＡＵ）要求メッセージを受信することを備え、
前記登録許可メッセージを送信することは、ＴＡＵ許可メッセージを送信することを備える、Ｃ５７に記載の方法。
[Ｃ６３］  前記Ｐ２Ｐ承認は、汎用Ｐ２Ｐ承認を備え、
前記管理エンティティは、モバイル管理エンティティ（ＭＭＥ）を備え、
受信することは、ユーザ機器（ＵＥ）からの前記登録メッセージを受信することを備える、
Ｃ５７に記載の方法。
[Ｃ６４］  モバイル・エンティティからのピアツーピア（Ｐ２Ｐ）承認要求を備える登録メッセージを受信し、前記モバイル・エンティティの、少なくとも１つの識別検査を実行し、前記少なくとも１つの識別検査が良い結果であったことに応答して、初期コンテキスト・セットアップ要求及びＰ２Ｐ承認応答を備える登録許可メッセージを前記モバイル・エンティティへ送信するように構成された少なくとも１つのプロセッサと、
前記少なくとも１つのプロセッサに結合された、データを格納するためのメモリと
を備える装置。
[Ｃ６５］  前記少なくとも１つのプロセッサは、前記モバイル・エンティティと動作可能に通信中であるネットワーク・エンティティからの前記登録メッセージを受信する、Ｃ６４に記載の装置。
[Ｃ６６］  前記Ｐ２Ｐ承認応答は、前記コア・ネットワークにおける前記モバイル・エンティティのＰ２Ｐ承認検査が良い結果であったことに応答して、Ｐ２Ｐ承認許可メッセージを備える、Ｃ６４に記載の装置。
[Ｃ６７］  前記少なくとも１つのプロセッサは、
接続要求メッセージを受信することによって前記登録メッセージを受信し、
接続許可メッセージを送信することによって前記登録許可メッセージを送信する、
Ｃ６４に記載の装置。
[Ｃ６８］  前記少なくとも１つのプロセッサは、
追跡エリア更新（ＴＡＵ）要求メッセージを受信することによって前記登録メッセージを受信し、
ＴＡＵ許可メッセージを送信することによって前記登録許可メッセージを送信する、
Ｃ６４に記載の装置。
[Ｃ６９］  モバイル・エンティティからの、ピアツーピア（Ｐ２Ｐ）承認要求を備える登録メッセージを受信するための手段と、
前記モバイル・エンティティの、少なくとも１つの識別検査を実行するための手段と、
前記少なくとも１つの識別検査が良い結果であったことに応答して、初期コンテキスト・セットアップ要求及びＰ２Ｐ承認応答を備える登録許可メッセージを前記モバイル・エンティティへ送信するための手段と
を備える装置。
[Ｃ７０］  コンピュータに、
モバイル・エンティティからの、ピアツーピア（Ｐ２Ｐ）承認要求を備える登録メッセージを受信させ、
前記モバイル・エンティティの、少なくとも１つの識別検査を実行させ、
前記少なくとも１つの識別検査が良い結果であったことに応答して、初期コンテキスト・セットアップ要求及びＰ２Ｐ承認応答を備える登録許可メッセージを前記モバイル・エンティティへ送信させる
ためのコードを備えるコンピュータ読取可能媒体を備えるコンピュータ・プログラム製品。
【図１】
0005735136.tif 000002
【図２】
0005735136.tif 000003
【図３】
0005735136.tif 000004
【図４】
0005735136.tif 000005
【図５】
0005735136.tif 000006
【図６】
0005735136.tif 000007
【図７】
0005735136.tif 000008
【図８】
0005735136.tif 000009
【図９】
0005735136.tif 000010
【図１０】
0005735136.tif 000011
【図１１】
0005735136.tif 000012
【図１２】
0005735136.tif 000013
【図１３】
0005735136.tif 000014
【図１４】
0005735136.tif 000015
【図１５】
0005735136.tif 000016
【図１６】
0005735136.tif 000017
【図１７】
0005735136.tif 000018
【図１８】
0005735136.tif 000019
【図２０】
0005735136.tif 000020
【図１９】
0005735136.tif 000021